(57)【要約】  簡便に電気接続可能な安価なＦＰＣを用いた生産性が高い面状発光装置であって、その発光領域の輝度ムラが小さい高信頼性の面状発光装置を提供することを課題とする。  発光面及び裏面を両主面とし、面状発光素子を含む面状発光タイルと、裏面上に配置されてなる複数のフレキシブルプリント配線板（ＦＰＣ）を備える面状発光装置とする。このとき、面状発光タイルは、陽極パッド及び陰極パッドが配されていない非パッド領域を有するものとする。さらに、配線板の一部と他の配線板の一部とが重なる重畳領域では、配線板と他の配線板の等電位領域同士が各々直接電気接続する電気接続部位が形成される。そして、非パッド領域が電気接続部位と重なる接続部配置領域となる。
2017033630.tif 000002
【特許請求の範囲】
【請求項１】
発光領域を含む発光面及び裏面を両主面とし、前記発光領域に対応する位置に面状発光素子を含む面状発光タイルと、前記裏面上に配置されてなる複数の配線板を備える面状発光装置であって、
前記面状発光素子は、これに含まれる陽極、及び陰極の間への電圧印加により発光するものであり、
前記配線板は、フレキシブルプリント配線板であって、１つの陽極用等電位領域、及び１つの陰極用等電位領域を含み、
前記面状発光タイルは、前記裏面に、前記面状発光素子の陽極と同電位となるように導通された陽極パッド、及び、前記面状発光素子の陰極と同電位となるよう導通された陰極パッドを備え、
さらに前記面状発光タイルは、前記陽極パッドが配された領域と、前記陰極パッドが配された領域と、前記陽極パッド及び前記陰極パッドが配されていない非パッド領域とを有するものであり、
複数の前記配線板のうち、一の前記配線板の一部と、当該一の前記配線板と隣接する位置に配される他の前記配線板の一部は、前記裏面上において重なっており、一の前記配線板の一部と前記裏面の間に他の前記配線板の一部が位置する重畳領域を形成するものであって、
一の前記重畳領域では、一の前記配線板の前記陽極用等電位領域と他の前記配線板の前記陽極用等電位領域とが電気接続される陽極側の電気接続部位と、
一の前記配線板の前記陰極用等電位領域と他の前記配線板の前記陰極用等電位領域とが電気接続される陰極側の電気接続部位の少なくとも一方が形成されており、
前記非パッド領域が、前記電気接続部位と重なる接続部配置領域となることを特徴とする面状発光装置。
【請求項２】
前記重畳領域の一部となる部分を有する前記配線板は、いずれも前記重畳領域の一部を形成する部分と、他の部分とを有しており、当該他の部分では、前記陽極用等電位領域が少なくとも１つの前記陽極パッドと電気接続されている、及び／又は、前記陰極用等電位領域が少なくとも１つの前記陰極パッドと電気接続されていることを特徴とする請求項１に記載の面状発光装置。
【請求項３】
前記面状発光タイルの前記裏面は、平面視において前記発光領域に重なる部分である発光領域対応部と、周辺部に区画されるものであり、
前記周辺部に前記陽極パッド、前記陰極パッドが配されるものであり、
前記周辺部は、前記陽極パッドが配された領域と、前記陰極パッドが配された領域と、前記陽極パッド及び前記陰極パッドが配されていない前記非パッド領域とに区画されることを特徴とする請求項１又は２に記載の面状発光装置。
【請求項４】
前記面状発光タイルは、平面視した形状が四角形状であって、前記周辺部は、四角環状に連続して前記発光領域対応部の外側に配されるものであり、
前記裏面を平面視したとき、前記裏面の四隅のそれぞれと近接する部分に前記非パッド領域が形成され、四隅と近接する前記非パッド領域が前記接続部配置領域となることを特徴とする請求項３に記載の面状発光装置。
【請求項５】
前記配線板は、平面視した形状が直線状に延びる形状、又は、一部が屈曲して延びた形状であり、ＦＰＣ接続パッド配置部を有し、
前記ＦＰＣ接続パッド配置部は、前記重畳領域の一部を形成する部分であり、陽極側の電気接続部位の一部を形成する陽極側導通部と、陰極側の電気接続部位の一部を形成する陰極側導通部の少なくとも一方が配される部分であって、
前記配線板の延び方向における端部側に位置する部分に前記ＦＰＣ接続パッド配置部が設けられることを特徴とする請求項１乃至４のいずれかに記載の面状発光装置。
【請求項６】
複数の前記配線板のそれぞれは、ＦＰＣ接続パッド配置部を有し、
前記ＦＰＣ接続パッド配置部は、前記重畳領域の一部を形成する部分であり、陽極側の電気接続部位の一部を形成する陽極側導通部と、陰極側の電気接続部位の一部を形成する陰極側導通部の少なくとも一方が配される部分であって、
複数の前記配線板のうち、少なくとも一の前記配線板では、前記ＦＰＣ接続パッド配置部の前記面状発光タイル側に位置する面である接触面、又は、前記接触面の反対側の面である表側面のうちの一方にのみ、前記陽極側導通部及び前記陰極側導通部の少なくとも一つが形成されており、
少なくとも他の一の前記配線板では、前記ＦＰＣ接続パッド配置部の前記接触面と前記表側面のうちの他方にのみ、前記陽極側導通部及び前記陰極側導通部の少なくとも一つが形成されていることを特徴とする請求項１乃至５のいずれかに記載の面状発光装置。
【請求項７】
複数の前記配線板のうち、少なくとも一の前記配線板における前記陽極用等電位領域は、前記配線板の前記面状発光タイル側に位置する面である接触面側に位置する接触面側陽極領域と、前記接触面とは反対側の面である表側面側に位置する表側陽極領域とを備えており、前記接触面側陽極領域と前記表側陽極領域は、等電位となるように電気接続されるものであって、
さらに、一の前記配線板における前記陰極用等電位領域は、前記接触面側に位置する接触面側陰極領域と、前記表側面側に位置する表側陰極領域とを備えており、前記接触面側陰極領域と前記表側陰極領域は、等電位となるように電気接続されるものであって、
前記接触面側陽極領域の一部と、前記表側陰極領域の一部とが一の前記配線板の部材厚方向で間隔を空けて重なる位置にある、及び／又は、前記接触面側陰極領域の一部と、前記表側陽極領域の一部とが一の前記配線板の部材厚方向で間隔を空けて重なる位置にあることを特徴とする請求項１乃至６のいずれかに記載の面状発光装置。
【請求項８】
前記配線板は、所定方向に直線状に延びる本体片側部と、前記所定方向と交わる方向に直線状に延びる本体他方部とが連続して形成されており、平面視した形状が、一部が屈曲して延びた形状であって、
延び方向における片側端部に位置する部分と、他方側端部に位置する部分にそれぞれＦＰＣ接続パッド配置部が形成されており、
前記ＦＰＣ接続パッド配置部は、前記重畳領域の一部を形成する部分であり、陽極側の電気接続部位の一部を形成する陽極側導通部と、陰極側の電気接続部位の一部を形成する陰極側導通部の少なくとも一方が配される部分であって、
一方の前記ＦＰＣ接続パッド配置部には、前記陽極側導通部及び前記陰極側導通部のうちの一方のみが位置しており、他方の前記ＦＰＣ接続パッド配置部には、前記陽極側導通部及び前記陰極側導通部のうちの他方のみが位置していることを特徴とする請求項１乃至７のいずれかに記載の面状発光装置。
【請求項９】
複数の前記配線板は、一の前記配線板である第１Ｌ形配線板と、他の前記配線板である第２Ｌ形配線板であって、
前記第１Ｌ形配線板と前記第２Ｌ形配線板は、いずれも所定方向に直線状に延びる本体片側部と、前記所定方向と交わる方向に直線状に延びる本体他方部と、これらの間に位置する屈曲連続部を有し、
前記面状発光タイルの前記裏面は、平面視において前記発光領域に重なる部分である発光領域対応部と、周辺部に区画されるものであり、平面視した形状が四角形状であって、
前記周辺部は、四角環状に連続して前記発光領域対応部の外側に配されるものであり、
前記裏面を平面視したとき、前記裏面の四隅のそれぞれと近接する部分に前記非パッド領域が形成され、
前記第１Ｌ形配線板と前記第２Ｌ形配線板は、いずれも前記屈曲連続部のそれぞれが前記非パッド領域に接触した状態で配されるものであり、
前記第１Ｌ形配線板における２つの前記ＦＰＣ接続パッド配置部がそれぞれ異なる前記非パッド領域の上に配されて前記非パッド領域と接触した状態となっており、前記第２Ｌ形配線板における２つの前記ＦＰＣ接続パッド配置部が、さらにその上に配されていることを特徴とする請求項８に記載の面状発光装置。
【請求項１０】
前記配線板は、所定方向に直線状に延びた形状となっており、
延び方向における片側端部に位置する部分と、他方側端部に位置する部分にそれぞれＦＰＣ接続パッド配置部が形成されており、
それぞれの前記ＦＰＣ接続パッド配置部は、前記重畳領域の一部を形成する部分であり、陽極側の電気接続部位の一部を形成する陽極側導通部と、陰極側の電気接続部位の一部を形成する陰極側導通部の双方が位置していることを特徴とする請求項１乃至７のいずれかに記載の面状発光装置。
【請求項１１】
複数の前記配線板は、いずれも所定方向に直線状に延びる４つのＩ形配線板であって、
前記面状発光タイルの前記裏面は、平面視において前記発光領域に重なる部分である発光領域対応部と、周辺部に区画されるものであり、平面視した形状が四角形状であって、
前記周辺部は、四角環状に連続して前記発光領域対応部の外側に配されるものであり、
前記裏面を平面視したとき、前記裏面の四隅のそれぞれと近接する部分に前記非パッド領域が形成され、
２つの前記Ｉ形配線板は、長手方向における両端部にそれぞれ位置する前記ＦＰＣ接続パッド配置部がそれぞれ異なる前記非パッド領域と重なる位置に配されて前記非パッド領域と接触した状態となっており、さらにその上に、他の２つの前記Ｉ形配線板に形成された前記ＦＰＣ接続パッド配置部が位置していることを特徴とする請求項１０に記載の面状発光装置。
【請求項１２】
前記面状発光タイルの前記裏面は、平面視において前記発光領域に重なる部分である発光領域対応部と、周辺部に区画されるものであり、
複数の前記配線板のうちの少なくとも一つは、外部の給電用部材を接続可能であって前記面状発光素子へ給電するための給電用端子を備えており、
前記給電用端子は、前記周辺部から前記発光領域対応部へ向かう方向に突出するように形成されており、前記発光領域対応部と重なる位置に配されていることを特徴とする請求項１乃至１１のいずれかに記載の面状発光装置。
【請求項１３】
複数の前記配線板によって環状に連続する一体の環状配線板が形成され、当該環状配線板が前記面状発光タイルの前記裏面に載置されていることを特徴とする請求項１乃至１２のいずれかに記載の面状発光装置。
【請求項１４】
前記環状配線板は、平面視した形状がロ字状となるように四角環状に連続しており、
前記環状配線板は、平面視において前記面状発光素子と重なる部分の外側に位置していることを特徴とする請求項１３に記載の面状発光装置。
【請求項１５】
発光領域を含む発光面及び裏面を両主面とし、前記発光領域に対応する位置に面状発光素子を含む面状発光タイルと、前記裏面上に配置されてなる複数の配線板を備える面状発光装置であって、
前記面状発光素子は、これに含まれる陽極、及び陰極の間への電圧印加により発光するものであり、
前記配線板は、フレキシブルプリント配線板であって、１つの陽極用等電位領域、及び１つの陰極用等電位領域を含み、
前記面状発光タイルは、前記裏面に、前記面状発光素子の陽極と同電位となるように導通された陽極パッド、及び、前記面状発光素子の陰極と同電位となるよう導通され陰極パッドを備え、
複数の前記配線板のそれぞれは、前記陽極用等電位領域が少なくとも１つの前記陽極パッドと電気接続されている、及び／又は、前記陰極用等電位領域が少なくとも１つの前記陰極パッドと電気接続されているものであって、
複数の前記配線板のうち、一の前記配線板の一部と、当該一の前記配線板と隣接する位置に配される他の前記配線板の一部は、前記裏面上において重なっており、一の前記配線板の一部と前記裏面の間に他の前記配線板の一部が位置する重畳領域を形成するものであって、
一の前記重畳領域では、一の前記配線板の前記陽極用等電位領域と他の前記配線板の前記陽極用等電位領域とが電気接続される陽極側の電気接続部位と、
一の前記配線板の前記陰極用等電位領域と他の前記配線板の前記陰極用等電位領域とが電気接続される陰極側の電気接続部位の少なくとも一方が形成されていることを特徴とする面状発光装置。
【発明の詳細な説明】
【技術分野】
【０００１】
本発明は、面状発光装置に関わり、特に、これに含まれる面状発光素子への給電のために、特定の構造のフレキシブルプリント基板（ＦＰＣ）を備える面状発光装置に関する。
【背景技術】
【０００２】
近年、白熱灯や、熱陰極蛍光管である蛍光灯に代わる新規の光源として、ＬＥＤや冷陰極蛍光管である冷陰極管、有機ＥＬなどが注目されている。特に、有機ＥＬパネルに代表される面状発光装置は、これら新規光源の特徴を活かすことで、従来にない効果が得られる照明装置として期待され、活発に開発されている。【０００３】
ここで、面状発光装置は、面状に発光する面状発光素子を備えた構造となっている。例えば、このような面状発光装置として、面状発光素子であるＬＥＤを平面状に並べたり、ＬＥＤと拡散板とを組み合わせたりすることで得られるＬＥＤタイルを使用するものがある。また、他の面状発光装置として、有機ＥＬ素子に、外部から給電を行うための配線を施し、これに、さらに、制御回路や、制御回路等が実装された回路基板（ＰＣＢ）、筐体等を追加で付属せしめたものがある。【０００４】
面状発光素子の中でも、有機ＥＬ素子は、面状に発光するという特徴に加えて、薄く、軽く、かつ、柔らかい拡散光を発光するという特徴を有する。このような有機ＥＬ素子は、一般に、ガラス基板や透明樹脂フィルム、金属シート等を基材とする。そして、基板の素子形成面上に、一方、又は双方が透光性を有し対向する２枚の薄膜電極層、及びその薄膜電極層間に挟持された有機機能層を形成することで、有機ＥＬ素子が得られる。また、一般には、この素子への外部からの水分や酸素の侵入を防ぐように、さらに、封止され、基材を含む有機ＥＬタイルとして製造される。両電極層の間に電力を与えると、有機ＥＬ素子の中で電気的に励起された電子と正孔とが再結合し、有機ＥＬタイルは発光する。【０００５】
また、このような有機ＥＬタイルに、外部から給電するための配線を施した面状発光装置は、有機ＥＬパネルと呼称される。有機ＥＬパネルは、一般に、上述の薄膜電極層の一方の電極層であり、陽極である、陽極薄膜電極層と同電位となるように導通された陽極パッドを有する。加えて、他方の電極層であり、陰極である、陰極薄膜電極から同電位となるように導通された陰極パッドを有する。そして、有機ＥＬパネルは、素子形成面上に膜状に形成されたこれらのパッド（陽極パッド及び陰極パッド）にリード線をハンダ付けすることで形成されるもの、又は、これらのパッドにフレキシブルプリント基板（ＦＰＣ）などの素子用配線基板や、その他の配線部材を取り付けて形成されるものである。なお、ここで記載する有機ＥＬタイルや有機ＥＬパネル等の用語は国際規格ＩＥＣ６２８６８に定義されている。【０００６】
上記したＦＰＣは、一般に、基材であるポリイミド等の樹脂製絶縁フィルムの片側あるいは両面に、少なくとも１つ以上の連続する等電位領域を形成する。この等電位領域は、低抵抗で電気伝導するように、銅箔、アルミ箔などの金属フィルムをパターニングして貼り付けたものである。【０００７】
このようなＦＰＣを含む面状発光装置として、特許文献１は、ガラス基板上に有機ＥＬ素子と、有機ＥＬ素子に均等に電流を供給するための複数の陽極端子電極及び陰極端子電極とを備える有機ＥＬ照明装置が開示されている。そして、この有機ＥＬ照明装置において、それぞれの陽極端子電極の位置に対応する陽極配線を有する回路と、それぞれの陰極端子電極の位置に対応する陰極配線を有する回路とが形成された配線基板を備えた構造が開示されている。【０００８】
また、同じく面状発光装置として、特許文献２には、機械的強度を確保した状態で電力の供給を安定して行なうことができるＥＬ光源体が開示されている。このＥＬ光源体は、光を放射する表面側に配置された表面ケース、表面ケースに収容され光を発生するＥＬ素子、ＥＬ素子へ電力の供給を行なう配線基板、裏面ケースをこの順に位置合わせして重畳（嵌合）することにより構成されている。表面ケースは、ＥＬ素子を収容する平面状の支持部、枠部を備えたものとなっている。配線基板は、端子部と、配線パターンおよび接続パターンを介してＥＬ素子へ電力を供給する配線部を備えたものとなっている。裏面ケースは、表面ケースに嵌合され光を放射する表面側と反対側の裏面を保護するものであり、被覆部、ＥＬ素子を内包する枠部を備えたものとなっている。
【先行技術文献】
【特許文献】
【０００９】
【特許文献１】国際公開第２０１１／１３６２６２号
【特許文献２】特開２００７−２９９７４０号公報
【発明の概要】
【発明が解決しようとする課題】
【００１０】
面状発光装置において、面状に発光する面状発光素子の特徴を活かすためには、一般に、当該面状発光における輝度や発光色の面内分布を均一化することが重要である。【００１１】
例えば、ＬＥＤタイルにおいては、平面状に並べられたＬＥＤや拡散板に光を供給する複数のＬＥＤを均一に発光させる必要があり、有機ＥＬ素子においては、対応する発光領域を均一に発光させる必要がある。【００１２】
ところが、このような均一発光の実現には、面状発光素子への通電経路に特別な工夫が必要である。例えば、有機ＥＬタイルに一般に用いられる透光性の陽極薄膜電極層は、当該層の形成に通常用いられる透光性導電金属酸化物が高抵抗である。この為、単純に陽極薄膜電極層内の一箇所に給電のための電圧印加を実施した場合、当該層中の面内各所を流れる電流の量に差異が生じ、流れる電流の量が比較的少ない位置で電圧降下が生じてしまう。そして、それに伴って面内電圧分布が不均一となり、その結果、発光領域内における面内輝度分布が不均一となってしまうことになる。このような面内輝度分布の偏りは、発光領域が大きくなればなるほど大きくなる。そして、偏りが大きくなると、見た目が悪くなり、意匠性を低下させてしまうと共に、特に、有機ＥＬ素子においては、寿命や信頼性に於いても、不具合を生じさせる原因となってしまう。【００１３】
均一発光実現の工夫として、例えば、正方形の発光領域に対応する有機ＥＬ素子を含む有機ＥＬタイルでは、当該有機ＥＬ素子の陽極薄膜電極層の４辺の近傍の各々に上述の陽極パッド、及び、４隅の近傍の各々に陰極パッドを配置するという工夫が知られている。すなわち、陽極用、及び陰極用の各々４個の４回対称の位置にあるパッド夫々より各薄膜電極層の中央に向かう４方向に電流が流れるように電圧を印加する工夫である。このような工夫は、従来から実施されており、効果的に面内輝度ムラの発生を抑制できることが知られている。【００１４】
前述した特許文献１、及び特許文献２には、このような面状発光素子の周囲に複数の、陽極パッド、及び陰極パッドを備える面状発光装置について、各パッドから当該素子に給電するための電圧印加をするＦＰＣの構造が記載されている。詳細には、複数のパッドの配置に対応して、その全体構造が口の字形状となるように複数のＦＰＣを用いることが記載されている。つまり、両文献共に、材料利用効率が低くコスト高となる口の字形状そのものの１つのＦＰＣではなく、複数のＦＰＣを用いることで、当該口の字形状の内側の絶縁シート材料の廃棄ロスを防止したＦＰＣについて提案している。【００１５】
即ち、特許文献１には、２つのＬ字形状のＬ字形ＦＰＣを組み合わせて、全体として口の字形状に構成した構造が開示されており、また、特許文献２には、全体として口の字形状となるよう、一文字形状の一字形ＦＰＣを８個組み合わせて構成した構造が開示されている。【００１６】
ところが、特許文献１に開示の構造では、２つのＬ字形ＦＰＣ同士を接続する為に、更に別の、２つの接続用Ｌ字形ＦＰＣを使用しており、この為、部品点数が多くなりコストが高くなってしまうという問題がある。また、有機ＥＬタイルとＦＰＣの接続部は非発光の額縁領域となる為、出来るだけ狭くした方がよく、ＦＰＣの製造コスト面においても細いほうが安価に製造出来るが、細い形状のＦＰＣ同士でショートや非接続無く確実に接続することが困難であるという問題もある。つまり、２つのＬ字形ＦＰＣと２つの接続用Ｌ字形のＦＰＣをズレ無く高精度に配置する必要があり、技術的に難しく歩留りや製造コストに大きな影響を与えるという問題である。【００１７】
また、特許文献２に開示の構造では、口の字形状を８分割した一字形ＦＰＣ同士の接続にジャンパー線を使用し、ジャンパー線の一部がＦＰＣと重なる取り付け形状とする為、ジャンパー線の太さの分だけ、有機ＥＬパネルが厚くなってしまうという問題がある。また、ＦＰＣを細く設計した場合に、狭い接続部上で陽極、陰極を分けてジャンパー線を半田接続するには熟練を要するという問題もある。【００１８】
そこで、本発明は、従来に比べ簡便に電気接続可能であり、安価で生産性が高い面状発光装置を提供することを課題とする。
【課題を解決するための手段】
【００１９】
本発明者らは上記した課題に鑑み鋭意検討した結果、面状発光タイルの裏面上の陽極パッド、及び陰極パッドに給電するための給電用ＦＰＣを、１枚のパネルに対して複数枚とし、かつ、隣接する当該ＦＰＣ間の導電層を重ね、その間で電気接続することを考えた。そして、このような構造とすることで、ＦＰＣの材料利用効率が高く、かつ、裏面上のパッドへのＦＰＣ配線が簡便になることを見出し、本発明を完成するに至った。
すなわち、本発明の一つの様相は、発光領域を含む発光面及び裏面を両主面とし、前記発光領域に対応する位置に面状発光素子を含む面状発光タイルと、前記裏面上に配置されてなる複数の配線板を備える面状発光装置であって、前記面状発光素子は、これに含まれる陽極、及び陰極の間への電圧印加により発光するものであり、前記配線板は、フレキシブルプリント配線板であって、１つの陽極用等電位領域、及び１つの陰極用等電位領域を含み、前記面状発光タイルは、前記裏面に、前記面状発光素子の陽極と同電位となるように導通された陽極パッド、及び、前記面状発光素子の陰極と同電位となるよう導通された陰極パッドを備え、さらに前記面状発光タイルは、前記陽極パッドが配された領域と、前記陰極パッドが配された領域と、前記陽極パッド及び前記陰極パッドが配されていない非パッド領域とを有するものであり、複数の前記配線板のうち、一の前記配線板の一部と、当該一の前記配線板と隣接する位置に配される他の前記配線板の一部は、前記裏面上において重なっており、一の前記配線板の一部と前記裏面の間に他の前記配線板の一部が位置する重畳領域を形成するものであって、一の前記重畳領域では、一の前記配線板の前記陽極用等電位領域と他の前記配線板の前記陽極用等電位領域とが電気接続される陽極側の電気接続部位と、一の前記配線板の前記陰極用等電位領域と他の前記配線板の前記陰極用等電位領域とが電気接続される陰極側の電気接続部位の少なくとも一方が形成されており、前記非パッド領域が、前記電気接続部位と重なる接続部配置領域となることを特徴とする面状発光装置である。【００２０】
本様相の面状発光装置は、前記重畳領域の一部となる部分を有する前記配線板は、いずれも前記重畳領域の一部を形成する部分と、他の部分とを有しており、当該他の部分では、前記陽極用等電位領域が少なくとも１つの前記陽極パッドと電気接続されている、及び／又は、前記陰極用等電位領域が少なくとも１つの前記陰極パッドと電気接続されていることが好ましい。【００２１】
また、本様相の面状発光装置は、前記面状発光タイルの前記裏面は、平面視において前記発光領域に重なる部分である発光領域対応部と、周辺部に区画されるものであり、前記周辺部に前記陽極パッド、前記陰極パッドが配されるものであり、前記周辺部は、前記陽極パッドが配された領域と、前記陰極パッドが配された領域と、前記陽極パッド及び前記陰極パッドが配されていない前記非パッド領域とに区画されることが好ましい。【００２２】
さらに好ましくは、前記面状発光タイルは、平面視した形状が四角形状であって、前記周辺部は、四角環状に連続して前記発光領域対応部の外側に配されるものであり、前記裏面を平面視したとき、前記裏面の四隅のそれぞれと近接する部分に前記非パッド領域が形成され、四隅と近接する前記非パッド領域が前記接続部配置領域となることである。【００２３】
上記した様相の面状発光装置は、前記配線板は、平面視した形状が直線状に延びる形状、又は、一部が屈曲して延びた形状であり、ＦＰＣ接続パッド配置部を有し、前記ＦＰＣ接続パッド配置部は、前記重畳領域の一部を形成する部分であり、陽極側の電気接続部位の一部を形成する陽極側導通部と、陰極側の電気接続部位の一部を形成する陰極側導通部の少なくとも一方が配される部分であって、前記配線板の延び方向における端部側に位置する部分に前記ＦＰＣ接続パッド配置部が設けられることが好ましい。【００２４】
また、上記した様相の面状発光装置は、複数の前記配線板のそれぞれは、ＦＰＣ接続パッド配置部を有し、前記ＦＰＣ接続パッド配置部は、前記重畳領域の一部を形成する部分であり、陽極側の電気接続部位の一部を形成する陽極側導通部と、陰極側の電気接続部位の一部を形成する陰極側導通部の少なくとも一方が配される部分であって、複数の前記配線板のうち、少なくとも一の前記配線板では、前記ＦＰＣ接続パッド配置部の前記面状発光タイル側に位置する面である接触面、又は、前記接触面の反対側の面である表側面のうちの一方にのみ、前記陽極側導通部及び前記陰極側導通部の少なくとも一つが形成されており、少なくとも他の一の前記配線板では、前記ＦＰＣ接続パッド配置部の前記接触面と前記表側面のうちの他方にのみ、前記陽極側導通部及び前記陰極側導通部の少なくとも一つが形成されていることが好ましい。【００２５】
また、上記した様相の面状発光装置は、複数の前記配線板のうち、少なくとも一の前記配線板における前記陽極用等電位領域は、前記配線板の前記面状発光タイル側に位置する面である接触面側に位置する接触面側陽極領域と、前記接触面とは反対側の面である表側面側に位置する表側陽極領域とを備えており、前記接触面側陽極領域と前記表側陽極領域は、等電位となるように電気接続されるものであって、さらに、一の前記配線板における前記陰極用等電位領域は、前記接触面側に位置する接触面側陰極領域と、前記表側面側に位置する表側陰極領域とを備えており、前記接触面側陰極領域と前記表側陰極領域は、等電位となるように電気接続されるものであって、前記接触面側陽極領域の一部と、前記表側陰極領域の一部とが一の前記配線板の部材厚方向で間隔を空けて重なる位置にある、及び／又は、前記接触面側陰極領域の一部と、前記表側陽極領域の一部とが一の前記配線板の部材厚方向で間隔を空けて重なる位置にあることが好ましい。【００２６】
さらに、上記した様相の面状発光装置は、前記配線板は、所定方向に直線状に延びる本体片側部と、前記所定方向と交わる方向に直線状に延びる本体他方部とが連続して形成されており、平面視した形状が、一部が屈曲して延びた形状であって、延び方向における片側端部に位置する部分と、他方側端部に位置する部分にそれぞれＦＰＣ接続パッド配置部が形成されており、前記ＦＰＣ接続パッド配置部は、前記重畳領域の一部を形成する部分であり、陽極側の電気接続部位の一部を形成する陽極側導通部と、陰極側の電気接続部位の一部を形成する陰極側導通部の少なくとも一方が配される部分であって、一方の前記ＦＰＣ接続パッド配置部には、前記陽極側導通部及び前記陰極側導通部のうちの一方のみが位置しており、他方の前記ＦＰＣ接続パッド配置部には、前記陽極側導通部及び前記陰極側導通部のうちの他方のみが位置していることが好ましい。【００２７】
さらに好ましくは、複数の前記配線板は、一の前記配線板である第１Ｌ形配線板と、他の前記配線板である第２Ｌ形配線板であって、前記第１Ｌ形配線板と前記第２Ｌ形配線板は、いずれも所定方向に直線状に延びる本体片側部と、前記所定方向と交わる方向に直線状に延びる本体他方部と、これらの間に位置する屈曲連続部を有し、前記面状発光タイルの前記裏面は、平面視において前記発光領域に重なる部分である発光領域対応部と、周辺部に区画されるものであり、平面視した形状が四角形状であって、前記周辺部は、四角環状に連続して前記発光領域対応部の外側に配されるものであり、前記裏面を平面視したとき、前記裏面の四隅のそれぞれと近接する部分に前記非パッド領域が形成され、前記第１Ｌ形配線板と前記第２Ｌ形配線板は、いずれも前記屈曲連続部のそれぞれが前記非パッド領域に接触した状態で配されるものであり、前記第１Ｌ形配線板における２つの前記ＦＰＣ接続パッド配置部がそれぞれ異なる前記非パッド領域の上に配されて前記非パッド領域と接触した状態となっており、前記第２Ｌ形配線板における２つの前記ＦＰＣ接続パッド配置部が、さらにその上に配されていることである。【００２８】
上記した様相の他の好ましい態様は、前記配線板は、所定方向に直線状に延びた形状となっており、延び方向における片側端部に位置する部分と、他方側端部に位置する部分にそれぞれＦＰＣ接続パッド配置部が形成されており、それぞれの前記ＦＰＣ接続パッド配置部は、前記重畳領域の一部を形成する部分であり、陽極側の電気接続部位の一部を形成する陽極側導通部と、陰極側の電気接続部位の一部を形成する陰極側導通部の双方が位置していることである。【００２９】
さらに好ましくは、複数の前記配線板は、いずれも所定方向に直線状に延びる４つのＩ形配線板であって、前記面状発光タイルの前記裏面は、平面視において前記発光領域に重なる部分である発光領域対応部と、周辺部に区画されるものであり、平面視した形状が四角形状であって、前記周辺部は、四角環状に連続して前記発光領域対応部の外側に配されるものであり、前記裏面を平面視したとき、前記裏面の四隅のそれぞれと近接する部分に前記非パッド領域が形成され、２つの前記Ｉ形配線板は、長手方向における両端部にそれぞれ位置する前記ＦＰＣ接続パッド配置部がそれぞれ異なる前記非パッド領域と重なる位置に配されて前記非パッド領域と接触した状態となっており、さらにその上に、他の２つの前記Ｉ形配線板に形成された前記ＦＰＣ接続パッド配置部が位置していることである。【００３０】
また、上記した様相の面状発光装置は、前記面状発光タイルの前記裏面は、平面視において前記発光領域に重なる部分である発光領域対応部と、周辺部に区画されるものであり、複数の前記配線板のうちの少なくとも一つは、外部の給電用部材を接続可能であって前記面状発光素子へ給電するための給電用端子を備えており、前記給電用端子は、前記周辺部から前記発光領域対応部へ向かう方向に突出するように形成されており、前記発光領域対応部と重なる位置に配されていることが好ましい。【００３１】
また、上記した様相の面状発光装置は、複数の前記配線板によって環状に連続する一体の環状配線板が形成され、当該環状配線板が前記面状発光タイルの前記裏面に載置されていることが好ましい。【００３２】
さらに好ましくは、前記環状配線板は、平面視した形状がロ字状となるように四角環状に連続しており、前記環状配線板は、平面視において前記面状発光素子と重なる部分の外側に位置していることが好ましい。【００３３】
そして、本発明の他の一つの様相は、発光領域を含む発光面及び裏面を両主面とし、前記発光領域に対応する位置に面状発光素子を含む面状発光タイルと、前記裏面上に配置されてなる複数の配線板を備える面状発光装置であって、前記面状発光素子は、これに含まれる陽極、及び陰極の間への電圧印加により発光するものであり、前記配線板は、フレキシブルプリント配線板であって、１つの陽極用等電位領域、及び１つの陰極用等電位領域を含み、前記面状発光タイルは、前記裏面に、前記面状発光素子の陽極と同電位となるように導通された陽極パッド、及び、前記面状発光素子の陰極と同電位となるよう導通され陰極パッドを備え、複数の前記配線板のそれぞれは、前記陽極用等電位領域が少なくとも１つの前記陽極パッドと電気接続されている、及び／又は、前記陰極用等電位領域が少なくとも１つの前記陰極パッドと電気接続されているものであって、複数の前記配線板のうち、一の前記配線板の一部と、当該一の前記配線板と隣接する位置に配される他の前記配線板の一部は、前記裏面上において重なっており、一の前記配線板の一部と前記裏面の間に他の前記配線板の一部が位置する重畳領域を形成するものであって、一の前記重畳領域では、一の前記配線板の前記陽極用等電位領域と他の前記配線板の前記陽極用等電位領域とが電気接続される陽極側の電気接続部位と、一の前記配線板の前記陰極用等電位領域と他の前記配線板の前記陰極用等電位領域とが電気接続される陰極側の電気接続部位の少なくとも一方が形成されていることを特徴とする面状発光装置である。【００３４】
言い換えると、発光領域を含む発光面、及び裏面を両主面とし、該発光領域に対応する面状発光素子を含む面状発光タイル、及び、該裏面上に配置されてなる複数のフレキシブルプリント配線板（ＦＰＣ）を備える面状発光装置であって、該面状発光素子は、これに含まれる陽極、及び陰極の間への電圧印加により発光し、
該複数のＦＰＣの各々は、１つの陽極用等電位領域、及び１つの陰極用等電位領域を含み、
該面状発光装置は、さらに、該裏面上に、該陽極と同電位となるよう導通された複数の膜状の陽極パッド、及び、該陰極と同電位となるよう導通された複数の膜状の陰極パッドを備え、
該複数のＦＰＣの各々の、
該陽極用等電位領域は、少なくとも１つの該陽極パッドに電気接続され、かつ、
該陰極用等電位領域は、少なくとも１つの該陰極パッドに電気接続され、さらに、
該複数のＦＰＣの各々である、一ＦＰＣ、及びこれと隣接する隣接ＦＰＣは、
平面視、該一及び該隣接ＦＰＣの重畳領域において、
該一ＦＰＣの該陽極用等電位領域は該隣接ＦＰＣの該陽極用等電位領域に、
該一ＦＰＣの該陰極用等電位領域は該隣接ＦＰＣの該陰極用等電位領域に、
各々直接電気接続されてなる、
２つのＦＰＣ−ＦＰＣ電気接続部位を有する、面状発光装置である。
即ち、このようなＦＰＣ−ＦＰＣ電気接続部位を有した重畳部位の一部を形成するＦＰＣの端部により、ＦＰＣ導電層間の電気接続を行うことが好ましい。このような面状発光装置は、簡便に確実に電気接続可能な安価なＦＰＣを用いた生産性が高い装置であり、かつ、その発光領域の輝度ムラが小さい高信頼性の装置である。【００３５】
また、前記複数のＦＰＣの内の少なくとも１つのＦＰＣである両端各極接続ＦＰＣが、前記陽極用等電位領域、及び前記陰極用等電位領域として、各々、全体として一方向に導通する導電経路を有することが好ましく、さらに、前記２つのＦＰＣ−ＦＰＣ電気接続部位となる２つのＦＰＣ接続パッドであって、該導電経路の該一方向の端部に設けられた一のＦＰＣ接続パッド、及び、該導電経路の該一方向の逆方向の端部に設けられた他のＦＰＣ接続パッドの２つのＦＰＣ接続パッドを、前記陽極用等電位領域の一部である陽極用ＦＰＣ接続パッド、及び前記陰極用等電位領域の一部である陰極用ＦＰＣ接続パッドとして備えることが好ましい。
このような様相によると、より前述のＦＰＣの電気接続に係る簡便性及び確実性が向上し、より前述の面状発光装置の信頼性及び生産性が向上する。即ち、このような両端各極接続ＦＰＣを用い、端部１箇所での接続で、陽極側、負極側のどちらか一方について、ＦＰＣ導電層間の電気接続を行うことが好ましい。このような構造によると、組立て時に配線ショートを起こさない形状にすることができる。矩形パネルにおいては、Ｌ字形のＦＰＣ２枚を組み合わせることがより好ましい。このような構造によると、発光領域面内を均一に発光させることができると共に、外形合わせ程度の精度で、高精度のジャンパー線半田作業を要せず、製造のし易い、安価な面状発光装置を提供できる。【００３６】
また、前記複数のＦＰＣの内の少なくとも１つのＦＰＣである一端両極接続ＦＰＣが、前記陽極用等電位領域、及び前記陰極用等電位領域として、各々、全体として一方向に導通する導電経路を有することが好ましく、さらに、前記２つのＦＰＣ−ＦＰＣ電気接続部位となる２つのＦＰＣ接続パッドを含む一端両極接続部位であって、該導電経路の少なくとも該一方向の端部に設けられ、かつ、該２つのＦＰＣ接続パッドとして、前記陽極用等電位領域の一部である陽極用ＦＰＣ接続パッド、及び、前記陰極用等電位領域の一部である陰極用ＦＰＣ接続パッドの２つのＦＰＣ接続パッドを含む一端両極接続部位を備えることが好ましい。
この好ましい様相によると、ＦＰＣをより安価なものにでき、面状発光装置の生産性がより向上する。【００３７】
また、前記複数のＦＰＣの内の少なくとも２つ以上のＦＰＣである、ロの字形状形成ＦＰＣが、平面視、１つの前記面状発光素子を取り囲むロの字形状を形成することが好ましい。
この好ましい様相によると、輝度ムラ低減効果がより向上する。
【発明の効果】
【００３８】
本発明の面状発光装置は、簡便且つ確実に電気接続可能である安価なＦＰＣを用いた生産性が高い装置であり、その発光領域の輝度ムラが小さい高信頼性の装置である。即ち、本発明によれば、発光領域面内を均一に発光させることができると共に、高精度のジャンパー線半田作業を要せず、製造のし易い、安価な面状発光装置を提供できる。
【図面の簡単な説明】
【００３９】
【図１】本発明の面状発光装置の一実施形態を示す図であり、（ａ）は、裏面側から平面視した様子を示す図、（ｂ）は、（ａ）のＡ−Ａ断面を模式的に示す断面図、（ｃ）は、（ａ）のＢ−Ｂ断面を模式的に示す断面図である。
【図２】図１の面状発光タイルを裏面側から平面視した様子を示す図であり、面状発光タイルに形成された陽極パッド及び陰極パッドのパターンを示す。
【図３】本発明に係るＦＰＣの一実施形態を示す図であり、面状発光タイルと接触する圧着面側から平面視した１組２枚のＦＰＣを示す。
【図４】図３に示す１組２枚のＦＰＣを裏面側から平面視した様子を示す図である。
【図５】図３に示す１組２枚のＦＰＣを、図２に示す面状発光タイルに取り付けた面状発光装置の一実施形態を裏面側から平面視した様子を示す図である。
【図６】図２に示す面状発光タイルに取り付け可能な１組４枚のＦＰＣ、及び図２に示す面状発光タイルの裏面を示す図であり、（ａ）は、ＦＰＣ取り付け前の状態を平面視して示す図であって一部の詳細図を含み、（ｂ）は、２枚のＦＰＣを取り付けた後の段階を平面視して示す図であり、（ｃ）は、４枚のＦＰＣを取り付けた後の段階を平面して示す図である。
【図７】図３における１組２枚のＦＰＣのうち、第１Ｌ型ＦＰＣの陽極用等電位領域及び陰極用等電位領域のみを模式的に示す一部破断斜視図である。
【図８】図３における１組２枚のＦＰＣのうち、第２Ｌ型ＦＰＣの陽極用等電位領域及び陰極用等電位領域のみを模式的に示す斜視図である。
【図９】図３における１組２枚のＦＰＣのうち、第２Ｌ型ＦＰＣの陽極用等電位領域及び陰極用等電位領域のみを模式的に示す一部破断斜視図である。
【図１０】図３における１組２枚のＦＰＣのうち、第２Ｌ型ＦＰＣの陽極用等電位領域及び陰極用等電位領域のみを模式的に示す一部破断斜視図であり、図９とは異なる部分を破断して示す。
【図１１】図３における１組２枚のＦＰＣのうち、第２Ｌ型ＦＰＣの陽極用等電位領域及び陰極用等電位領域のみを模式的に示す斜視図であり、裏面側に位置する部分を透過して示す。
【図１２】図３における１組２枚のＦＰＣのうち、第２Ｌ型ＦＰＣの陽極用等電位領域及び陰極用等電位領域のみを模式的に示す一部破断斜視図であり、図９、図１０とは異なる部分を破断して示す。
【図１３】図３における１組２枚のＦＰＣを採用した面状発光装置を形成する様子を示す説明図であり、ＦＰＣを取り付ける前の様子を示す。
【図１４】図１３に続いて１組２枚のＦＰＣを採用した面状発光装置を形成する様子を示す説明図であり、ＦＰＣを取り付けた後の様子を示す。
【図１５】図６における１組４枚のＦＰＣの一実施形態を示す図であり、面状発光タイルと接触する圧着面側から平面視した１組４枚のＦＰＣを示す。
【図１６】図６に示す１組４枚のＦＰＣを裏面側から平面視した様子を示す図である。
【図１７】図６における１組４枚のＦＰＣのうち、第１Ｉ型ＦＰＣの陽極用等電位領域及び陰極用等電位領域のみを模式的に示す斜視図である。
【図１８】図１７における第１Ｉ型ＦＰＣの陽極用等電位領域のみを模式的に示す斜視図である。
【図１９】図６における１組４枚のＦＰＣのうち、第３Ｉ型ＦＰＣの陽極用等電位領域及び陰極用等電位領域のみを模式的に示す斜視図である。
【図２０】図１９における第３Ｉ型ＦＰＣの陽極用等電位領域のみを模式的に示す斜視図である。
【図２１】図６における１組４枚のＦＰＣを採用した面状発光装置を形成する様子を示す説明図であり、ＦＰＣを取り付ける前の様子を示す。
【図２２】図２１に続いて１組４枚のＦＰＣを採用した面状発光装置を形成する様子を示す説明図であり、２つのＦＰＣを面状発光タイルの裏面に載置した状態を示す。
【図２３】図２２に続いて１組４枚のＦＰＣを採用した面状発光装置を形成する様子を示す説明図であり、全てのＦＰＣを取り付けた状態を示す。
【図２４】従来のロ字状ＦＰＣを基材シートから打ち抜く際の利用可能部分と端材の割合を説明する説明図であり、利用可能部分を黒塗りで示す。
【図２５】図３における１組２枚のＦＰＣを基材シートから打ち抜く際の利用可能部分と端材の割合を説明する説明図であり、利用可能部分を黒塗りで示す。
【発明を実施するための形態】
【００４０】
以下、本発明の実施形態について説明する。
【００４１】
（面状発光装置１００）
図１は、本発明の一実施形態の面状発光装置１００を示す図である。
【００４２】
図１に示すように、本実施形態の面状発光装置１００は、面状発光タイル１０、及びフレキシブルプリント配線板（以下、ＦＰＣ２（配線板）とも称す）を含み、より詳細には、複数のＦＰＣ２を含んでいる。面状発光装置１００は、好ましくは有機ＥＬパネル、又はＬＥＤパネルであり、より好ましくは有機ＥＬパネルである。
【００４３】
面状発光タイル１０は、発光領域を含む発光面、及び裏面を両主面とし、この発光領域に対応する面状発光素子１を含み、この裏面上に複数のＦＰＣ２は配置されてなる。
【００４４】
図２は、図１に示す面状発光タイル１０に形成された陽極パッド１２、及び陰極パッド１３のパターンを示す図であり、面状発光タイル１０を裏面側から平面視した図である。
【００４５】
面状発光素子１は、これに含まれる陽極、及び陰極の間への電圧印加により発光し、この発光に基づき発光領域から光が放射される。これら面状発光素子１の陽極、及び陰極へ外部から給電するために、面状発光タイル１０は、裏面上に、陽極と同電位となるよう導通された複数の膜状の陽極パッド１２、及び、陰極と同電位となるよう導通された複数の膜状の陰極パッド１３を有している。そして、複数のＦＰＣ２を介して外部から、これら陽極パッド１２、及び、陰極パッド１３は給電される。
【００４６】
（面状発光タイル１０）
本実施形態に係る面状発光タイル１０は、好ましくは有機ＥＬタイル、及びＬＥＤタイルからなる群から選ばれる１以上であり、より好ましくは有機ＥＬタイルである。有機ＥＬタイルにおいては、発光面、及び裏面側の素子形成面を両主面とする絶縁基板１１に、面状発光素子１として、有機ＥＬ素子（面状発光素子１）が形成されていることが好ましく、ＬＥＤタイルにおいては、面状発光素子１そのものが、ＬＥＤタイル（面状発光タイル１０）であることが好ましい。
【００４７】
ここで、面状発光タイル１０は、平面視した形状、すなわち、面状発光タイル１０の裏面側からみた形状が四角形状（正方形状）となっている。
そして、面状発光タイル１０の四辺のそれぞれの近傍に、上述の陽極パッド１２と２つの陰極パッド１３が配されている。
【００４８】
なお、面状発光装置１００の部材厚方向、面状発光タイル１０の部材厚方向、後述するＦＰＣ２の部材厚方向は、いずれも同じ方向となっている。この面状発光装置１００の部材厚方向は、面状発光タイル１０とＦＰＣ２の重なり方向と同方向（図１４における上下方向）である。
【００４９】
ここで、面状発光タイル１０の発光面では、面状発光素子１に対応する位置、すなわち、面状発光素子１を面状発光タイル１０の発光面に投影したとき、投影面と重なる部分が発光領域となっている。言い換えると、面状発光タイル１０を平面視したときに面状発光素子１と重なる部分が発光領域となっている。
【００５０】
対して、面状発光タイル１０の裏面では、発光面における発光領域と部材厚方向で離間対向する面が中心側に位置している。そして、図２で示されるように、この中心側に位置する面である発光領域対応部αと、発光領域対応部αの外側で四角環状に連続する面である周辺部βとが連続する一つの面である面状発光タイル１０の裏面を形成している。
つまり、発光領域対応部αは、面状発光素子１を面状発光タイル１０の裏面に投影したときに投影面と重なる部分であり、面状発光タイル１０を平面視したときに面状発光素子１と重なる部分でもある。そして、周辺部βは、面状発光タイル１０の裏面のうち、外縁部分からやや内側に位置する部分までの領域であって、面状発光タイル１０の縁部分に沿って環状に連続する領域である。
【００５１】
陽極パッド１２と陰極パッド１３は、それぞれが面状発光素子１の陽極、陰極と同電位となるように導通された部分であり、面状発光タイル１０の裏面側において外部に露出している露出部分となっている。そして、この陽極パッド１２と陰極パッド１３は、周辺部βに配された状態となっている。
【００５２】
ここで、陽極パッド１２と陰極パッド１３の平面視形状は、それぞれ、最も近接する面状発光タイル１０の辺の長手方向に沿って延びる長方形状となっている。
詳細には、陽極パッド１２の長手方向の長さは、陰極パッド１３の長手方向の長さよりも長くなっている。また、陽極パッド１２の短手方向の長さ（近接する辺の長手方向と直交する方向の長さ）は、陰極パッド１３の短手方向の長さと同一（又は略同一）の長さとなっている。
そして、これら陽極パッド１２と陰極パッド１３は、最も近接する面状発光タイル１０の辺からの距離が同一となっている。
【００５３】
このとき、面状発光タイル１０の裏面では、四辺のそれぞれと近接する位置に１つの陽極パッド１２と２つの陰極パッド１３が配されており、合計で４つの陽極パッド１２と８つの陰極パッド１３が配された状態となっている。
【００５４】
そして、面状発光タイル１０の一の辺と、この一の辺と直交する他の辺が交わる角部分の近傍には、陽極パッド１２及び陰極パッド１３が形成されていない領域（非パッド領域）である接続部配置領域５０が形成されている。言い換えると、面状発光タイル１０を平面視したとき、四隅となる部分のそれぞれの近傍に接続部配置領域５０が形成されている。
【００５５】
したがって、面状発光タイル１０のいずれか一の辺の近傍では、この一の辺の長手方向に沿って、この一の辺の片側端部の近傍から他方端部の近傍までの間で、１つ目の接続部配置領域５０、１つ目の陰極パッド１３、陽極パッド１２、２つ目の陰極パッド１３、他の接続部配置領域５０の順に並列している。
【００５６】
このことから、面状発光タイル１０を裏面側から平面視すると、いずれか１つの角部分の近傍から縁部分に沿って時計回り（又は反時計回り）に、接続部配置領域５０、陰極パッド１３、陽極パッド１２、陰極パッド１３、接続部配置領域５０・・・が順に配された状態となる。これらは、互いに間隔を開けて四角環状に並列した状態となっている。
このとき、面状発光タイル１０の縁に沿う周方向において、面状発光タイル１０の一の角部分に近接配置される２つの陰極パッド１３の間には、接続部配置領域５０が位置することとなる。言い換えると、面状発光タイル１０の縁に沿う周方向において、２つの陰極パッド１３が接続部配置領域５０によって分断され、不連続な状態となっている。
【００５７】
（有機ＥＬタイル）
以下、本実施形態の面状発光タイル１０として好ましい有機ＥＬタイルの構造および製造方法について説明する。
【００５８】
本実施形態に係る有機ＥＬタイルは、絶縁基板１１上（素子形成面上）に、順に各々所定の領域を有する、第一電極膜、有機機能膜、及び第二電極膜を製膜することにより、これらの膜の重畳部分として有機ＥＬ素子（面状発光素子１）を形成して製造される。なお、絶縁基板１１は、好ましくはガラス基板である。そして、有機機能膜は、有機化合物を主成分とし、かつ、発光層を含むものとなっている。
これら第一電極膜、及び第二電極膜の内の有機ＥＬ素子に含まれる部分が、陽極、及び陰極の各々に対応する、第一電極層、及び第二電極層である。好ましくは、第一電極層が陽極に、第二電極層が陰極に対応するようにすることであり、より好ましくは、第一電極層を透光性陽極層、第二電極膜を反射性陰極層とすることである。このような有機ＥＬ素子は、素子形成面上において封止膜により封止されて、封止膜と絶縁基板１１の裏面（素子形成面）との間に封入されていることが好ましい。すなわち、素子への水分の浸入を防止することで長期信頼性に優れる発光装置とする観点から封止膜により封止されていることが好ましい。
【００５９】
（フレキシブルプリント配線板（ＦＰＣ２））
図３は、本実施形態に係るＦＰＣ２（両端各極接続ＦＰＣ２Ａ）を面状発光タイル１０と接触する圧着面側から平面視した図であり、１組２枚のＦＰＣ２に係るものである。
【００６０】
図４は、図３に示す１組２枚のＦＰＣ２を裏面側から平面視した図である。なお、ＦＰＣ２における「裏面」とは、ＦＰＣ２の部材厚方向において、圧着面の反対側に位置する面であり、圧着面と離間対向するように位置する面である。すなわち、膜状又は薄板状に形成されたＦＰＣ２の部材厚方向における一方の面が圧着面であり、他方の面が裏面となっている。当然のことながら、裏面もまた、圧着面と同様、ＦＰＣ２の部材厚方向に直交する面となっている。
【００６１】
図５は、図３に示す１組２枚のＦＰＣ２を、図２に示す面状発光タイル１０に取り付けた後の、面状発光装置１００の一実施形態を示す裏面側から平面視した図である。
【００６２】
フレキシブルプリント配線板（ＦＰＣ２）の各々は、１つの陽極用等電位領域２２、及び１つの陰極用等電位領域２３を含んでいる。陽極用等電位領域２２は、少なくとも１つの陽極パッド１２に、陰極用等電位領域２３は、少なくとも１つの陰極パッド１３に、電気接続され、前述した外部からの陽極、及び陰極への給電を中継する機能を果たす。ここで、外部からのＦＰＣ２への給電は、後述する給電用端子４０であって、同様に、各等電位領域（陽極用等電位領域２２及び陰極用等電位領域２３）にそれぞれ電気接続されてなる陽極用端子、及び陰極用端子を含む給電用端子４０を介して為されることが好ましい。
【００６３】
給電用端子４０は、図５に示す様に、面状発光タイル１０の裏面上に、直接接するように設けても良い。しかしながら、複数のＦＰＣ２の中の一つ以上のＦＰＣ２の一部として設けることで、面状発光タイル１０から浮かせた状態で外引き出し部分とすることが好ましい。つまり、ＦＰＣ２を、互いに薄板状となる本体部分と給電用端子４０から形成されるものとし、給電用端子４０は、本体部分の一部を外側へ引き出した部分となるように形成することが好ましい。より好ましくは、２つのＬ字形のＦＰＣ２を組み合わせて、平面視した形状がロの字形状となるロ字状ＦＰＣ２Ｏ（環状配線板、詳しくは後述する）を形成し、その一方のＦＰＣ２に給電用端子４０を設けることである。このとき、この２つのＬ字形のＦＰＣ２を両端各極接続ＦＰＣ２Ａ（後述する）とすることがさらに好ましい。
また、外部電源からの給電用端子４０への接続方法としては、コネクタを用いることが好ましい。このとき、給電用端子４０側のコネクタ片としては、給電用端子４０に実装することが可能である。また、給電用端子４０が表面（部材厚方向の片側面）に配置されているＦＰＣ２の裏面（部材厚方向の他方側面）に補強板を貼り付けてＦＰＣコネクタとすることも可能である。このことは、薄いタイル（面状発光タイル１０）を製造する観点からはより好ましい形態である。
【００６４】
本実施形態に係るＦＰＣ２の各々は、２つのＦＰＣ−ＦＰＣ電気接続部位３２、３３（以下、単に電気接続部位３２、３３とも称す）を形成するための部分を有する。つまり、一のＦＰＣ２は、一の電気接続部位３２の一部を形成するための部分と、他の電気接続部位３３の一部を形成するための部分とを有する。面状発光装置１００は、好ましくは、このようなＦＰＣ２として、後述する両端各極接続ＦＰＣ２Ａ、及び後述する一端両極接続ＦＰＣ２Ｂ（Ｉ形配線板）からなる群から選ばれる１以上を備える。
【００６５】
電気接続部位３２、３３は、面状発光装置１００に含まれる全てのＦＰＣ２のうち、いずれか一のＦＰＣ２と、これと隣接する他のＦＰＣ２（隣接ＦＰＣ）が直接電気接続されて形成される部位である。この電気接続部位３２、３３では、一のＦＰＣ２の陽極用等電位領域２２は他のＦＰＣ２の陽極用等電位領域２２に、一のＦＰＣ２の陰極用等電位領域２３は他のＦＰＣ２の陰極用等電位領域２３に各々直接電気接続される。
【００６６】
なおここで、ＦＰＣ２として、図６に示す一端両極接続ＦＰＣ２Ｂが用いられる場合と、図３、図４、及び図５に示す両端各極接続ＦＰＣ２Ａが用いられる場合とがある。上記した一端両極接続ＦＰＣ２Ｂが用いられる場合、一のＦＰＣ２と隣接する他のＦＰＣ２が同一（又は略同一）であり、かつ、２つの電気接続部位３２、３３の一方の一部を形成する部分と他方の一部を形成する部分とがＦＰＣ２の同一の端部（詳しくは後述する）に存在する。また、上記した両端各極接続ＦＰＣ２Ａが用いられる場合、２つの電気接続部位３２、３３の一方の一部を形成する部分と、他方の一部を形成する部分とが、ＦＰＣ２の一方向の端部、及び逆方向の端部（詳しくは後述する）に離れて存在する。
【００６７】
また、上述のロ字状ＦＰＣ２Ｏを形成する複数のＦＰＣ２の内の少なくとも２つ以上が、両端各極接続ＦＰＣ２Ａ（詳しくは後述する）、及び一端両極接続ＦＰＣ２Ｂ（詳しくは後述する）からなる群から選ばれることが好ましい。すなわち、このような複数のＦＰＣ２によって、平面視したとき、１つの面状発光素子１を取り囲むロの字形状を形成することが、好ましい。
【００６８】
上述したＦＰＣ２の各電気接続の方法としては、ハンダ付け、導電性接着剤による接着、ＡＣＰ（異方性導電ペースト）による圧着、ＡＣＦ（異方性導電フィルム）による圧着、及びこれらの２以上の組み合わせからなる群から選ばれる１以上の方法を適用できる。より具体的には、上記した１以上の方法を、単独で、又は組み合わせて、面状発光装置１００に含まれる電気接続に対して適用することができる。
【００６９】
上記した導電性接着剤は、導電性樹脂にＡｇなどの粒子を配合したものがよく知られている。また、上記したＡＣＰは、絶縁性のある熱硬化性樹脂接着剤の中に表面を金めっきした樹脂粒子などの導電粒子を分散させたペースト状のもので、圧着することで圧着方向に導電性が付与されるものである。更に、上記したＡＣＦは、絶縁性のある熱硬化性樹脂接着剤の中にニッケル又は表面に金めっき処理した樹脂粒子などの導電粒子を分散した材料をフィルム状に成形したものであり、圧着することで当該フィルム厚み方向に導電性が付与されるものである。
【００７０】
（両端各極接続ＦＰＣ２Ａ）
図３、図４、及び図５に示す本実施形態の両端各極接続ＦＰＣ２Ａは、面状発光装置１００における複数のＦＰＣ２の内の少なくとも１つである。両端各極接続ＦＰＣ２Ａは、各々、全体として一方向に導通する導電経路を、陽極用等電位領域２２、及び陰極用等電位領域２３として有し、かつ、２つのＦＰＣ接続パッド２Ａ２、２Ａ３を備える。
【００７１】
２つのＦＰＣ接続パッド２Ａ２、２Ａ３は、２つの電気接続部位３２、３３となるものである。そして、その一のＦＰＣ接続パッド２Ａ２は、導電経路の一方向の端部に設けられたものであり、その他のＦＰＣ接続パッド２Ａ３は、導電経路の一方向の逆方向の端部に設けられたものである。
【００７２】
また、２つのＦＰＣ接続パッド２Ａ２、２Ａ３の各々は夫々、陽極用のＦＰＣ接続パッド２Ａ２、及び陰極用のＦＰＣ接続パッド２Ａ３でもある。さらに、陽極用のＦＰＣ接続パッド２Ａ２は陽極用等電位領域２２の一部でもあり、陰極用のＦＰＣ接続パッド２Ａ３は陰極用等電位領域２３の一部でもある。
【００７３】
以下、このような両端各極接続ＦＰＣ２Ａを、面状発光タイル１０の給電に用いる具体例を、図３を用いて説明する。
【００７４】
図３は、図２に示す面状発光タイル１０に適用できる１組２個のＦＰＣ２を示す図であり、外観を平面視して示す図である。すなわち、ＦＰＣ２の圧着面側を平面視して示す図である。これら２個のＦＰＣ２は、それぞれが平面視した形状がＬ字形となるＦＰＣ２であり、両端各極接続ＦＰＣ２Ａであって、組み合わせることでロ字状ＦＰＣ２Ｏとなる。
【００７５】
また、これら２個の両端各極接続ＦＰＣ２Ａは、図２で示す面状発光タイル１０の陽極パッド１２、及び陰極パッド１３に対応して、陽極用タイル接続パッド２Ａ１２、及び陰極用タイル接続パッド２Ａ１３を有する。すなわち、陽極用タイル接続パッド２Ａ１２と陰極用タイル接続パッド２Ａ１３を各々、陽極用等電位領域２２、及び陰極用等電位領域２３の一部として有する。
【００７６】
更に、これら２個の両端各極接続ＦＰＣ２Ａの各々には、これら相互のＦＰＣ２同士を接続する為の、陽極用の一のＦＰＣ接続パッド２Ａ２、及び陰極用の他のＦＰＣ接続パッド２Ａ３の２個のパッドが設けられている。すなわち、両方のＦＰＣ２で合わせて計４個のパッドが設けられている。
【００７７】
これら２個の両端各極接続ＦＰＣ２Ａを、図２に示す面状発光タイル１０に適用する際には、図２で示される面状発光タイル１０の裏面上にＦＰＣ２を載置する。このＦＰＣ２は、図３の右上、及び左下にそれぞれ示される２枚のＦＰＣ２であり、図３で示される圧着面を有するものとなっている。そして、それぞれのＦＰＣ２の圧着面と面状発光タイル１０の裏面を対向させて、面状発光タイル１０の裏面上にＦＰＣ２を載置する。このとき、作業者は、ＦＰＣ２の圧着面の反対側の面となるＦＰＣ２の裏面（図４参照）を見ながら載置することとなる。このことにより、図５の面状発光装置１００の裏面を得ることとなる。
即ち、本明細書において、ＦＰＣ２、面状発光タイル１０、及び面状発光装置１００の裏面は、同一方向の面である。また、図３の右上に示される圧着面（面状発光タイル１０と接触する接触面）を有するＦＰＣ２は、図４及び図５の左上に示される裏面（接触面とは反対側の面である表側面）を有するＦＰＣ２である。同様に、図３の左下に示される圧着面を有するＦＰＣ２は、図４及び図５の右下に示される裏面を有するＦＰＣ２である。
【００７８】
これら２個の両端各極接続ＦＰＣ２Ａは、図５に示すように、図３の右上に示される圧着面を有するＦＰＣ２を面状発光タイル１０に取り付けた後に、図３の左下に示される圧着面を有するＦＰＣ２を取り付ける。この際、図３の右上に示される圧着面を有するＦＰＣ２の一のＦＰＣ接続パッド２Ａ２は、図３の左下に示される圧着面を有するＦＰＣ２の一のＦＰＣ接続パッド２Ａ２と、重畳領域において、直接電気接続される。すなわち、面状発光タイル１０の接続部配置領域５０と重なる位置において、２つのＦＰＣ接続パッド２Ａ２が電気接続される。さらに、図３の右上に示される圧着面を有するＦＰＣ２における他のＦＰＣ接続パッド２Ａ３は、図３の左下に示される圧着面を有するＦＰＣ２における他のＦＰＣ接続パッド２Ａ３と、重畳領域において、直接電気接続される。すなわち、他の２つのＦＰＣ接続パッド２Ａ３もまた、面状発光タイル１０の接続部配置領域５０と重なる位置であり、上記した接続部配置領域５０とは異なる接続部配置領域５０と重なる位置において、電気接続される。即ち、重畳領域においてＦＰＣ２同士は、一部が重なるようになっており、その重なり部分の一方で陽極側の接続が、他方で陰極側の接続が実施される。
【００７９】
以下、上記した２つの両端各極接続ＦＰＣ２Ａについて、さらに具体的に説明する。
【００８０】
対となる２つの両端各極接続ＦＰＣ２Ａは、２つで一組のＦＰＣ２であり、一つのロ字状ＦＰＣ２Ｏを形成する。そして、一の両端各極接続ＦＰＣ２Ａ（図３の右上に示されるＦＰＣ２であり、以下、第１Ｌ型ＦＰＣ１５０とも称す）と、他の両端各極接続ＦＰＣ２Ａ（図３の左下に示されるＦＰＣ２であり、以下、第２Ｌ型ＦＰＣ１５１とも称す）から構成されている。
【００８１】
第１Ｌ型ＦＰＣ１５０（第１Ｌ型配線板）は、図３で示されるように、平面視した形状がＬ字状となるように一部が屈曲して延びている。そして、延び方向における片側端部に一方のＦＰＣ接続パッド配置部１５３が位置し、他方側端部に他方のＦＰＣ接続パッド配置部１５４が位置している。
このＦＰＣ接続パッド配置部１５３、１５４は、図４で示されるように、それぞれに後述する陽極側導通部７０と、陰極側導通部７１とが配され、上記したＦＰＣ接続パッド２Ａ２、２Ａ３を形成する部分となっている。
【００８２】
つまり、第１Ｌ型ＦＰＣ１５０は、平面視において、長手方向の一端側に位置する陽極用のＦＰＣ接続パッド配置部１５３を含んで直線状に延びる部分である本体片側部１５０ａと、長手方向の一端側に位置するＦＰＣ接続パッド配置部１５４を含んで直線状に延びる部分である本体他方部１５０ｂとを有している。そして、これらの直線状に延びる部分の他端側同士が屈曲連続部１５０ｃで連続している。
言い換えると、本体片側部１５０ａと本体他方部１５０ｂの長手方向における他端側同士が、屈曲連続部１５０ｃを介して連続している。そして、本体片側部１５０ａの延び方向と、本体他方部１５０ｂの延び方向は、異なる方向であり、互いに直交する方向となっている。
【００８３】
ＦＰＣ接続パッド配置部１５３、１５４は、いずれも連続する他の部分と比べて幅方向の長さがやや長くなっている。
なお、ここでいう幅方向とは、第１Ｌ型ＦＰＣ１５０の幅方向である。すなわち、第１Ｌ型ＦＰＣ１５０の部材厚方向と直交する方向であり、且つ、第１Ｌ型ＦＰＣ１５０の延び方向と直交する方向となっている。また、以下の説明において、単に「幅方向」という場合には、対象となる部材（又は部材の一部）において、その部材（又は部材の一部）の延び方向及び部材厚方向と直交する方向とする。
【００８４】
より具体的には、本体片側部１５０ａと本体他方部１５０ｂのＦＰＣ接続パッド配置部１５３、１５４を除いた部分における幅方向の長さは同一であり、これらの幅方向の長さよりもＦＰＣ接続パッド配置部１５３、１５４の幅方向の長さが長くなっている。
【００８５】
ここで、第１Ｌ型ＦＰＣ１５０は、上記したように、陽極用等電位領域２２と陰極用等電位領域２３を含んでいる。これらはいずれも導電線（導電経路）として機能する部分であり、一部が外部に露出している。
具体的には、第１Ｌ型ＦＰＣ１５０の圧着面側において、陽極用等電位領域２２の一部が露出し、陽極用タイル接続パッド２Ａ１２を形成している。さらに、第１Ｌ型ＦＰＣ１５０の圧着面側で陰極用等電位領域２３の一部が露出して陰極用タイル接続パッド２Ａ１３を形成している。対して、第１Ｌ型ＦＰＣ１５０の裏面側では、陽極用等電位領域２２の一部であるパッド用板部１６０ｂ（詳しくは、後述する）が露出して、陽極側導通部７０を形成している。さらに、陰極用等電位領域２３の一部であるパッド用板部１７０ｂ（詳しくは、後述する）が露出して、陰極側導通部７１を形成している。
【００８６】
まず、第１Ｌ型ＦＰＣ１５０の圧着面側では、本体片側部１５０ａと本体他方部１５０ｂのそれぞれにおいて、２つのＦＰＣ接続パッド配置部１５３、１５４と連続する他の位置に、１つの陽極用タイル接続パッド２Ａ１２、２つの陰極用タイル接続パッド２Ａ１３が形成されている。つまり、２つのＦＰＣ接続パッド配置部１５３、１５４の圧着面、屈曲連続部１５０ｃの圧着面には、陽極用タイル接続パッド２Ａ１２、陰極用タイル接続パッド２Ａ１３のいずれもが形成されていない状態となっている。換言すると、ＦＰＣ接続パッド配置部１５３、１５４の圧着面、屈曲連続部１５０ｃのそれぞれでは、圧着面側において、陽極用等電位領域２２と陰極用等電位領域２３のいずれもが外部に露出しない状態となっている。
【００８７】
陽極用タイル接続パッド２Ａ１２、陰極用タイル接続パッド２Ａ１３は、平面視した形状が長方形状であり、第１Ｌ型ＦＰＣ１５０の延び方向に沿って延びている。また、陽極用タイル接続パッド２Ａ１２の長手方向の長さが、陰極用タイル接続パッド２Ａ１３の長手方向の長さよりも長くなっている。
【００８８】
そして、本体片側部１５０ａ、本体他方部１５０ｂのそれぞれにおいて、ＦＰＣ接続パッド配置部１５３（又はＦＰＣ接続パッド配置部１５４）が位置する端部から屈曲連続部１５０ｃが位置する端部へ向かって、１つ目の陰極用タイル接続パッド２Ａ１３、陽極用タイル接続パッド２Ａ１２、２つ目の陰極用タイル接続パッド２Ａ１３の順に配されている。そして、これらのそれぞれが間隔を空けて並列した状態となっている。
【００８９】
続いて、第１Ｌ型ＦＰＣ１５０の裏面側では、図４で示されるように、２つのＦＰＣ接続パッド配置部１５３、１５４の裏面となる位置に、それぞれ陽極側導通部７０、陰極側導通部７１が形成されている。言い換えると、第１Ｌ型ＦＰＣ１５０の裏面側において、２つのＦＰＣ接続パッド配置部１５３、１５４とは異なる部分では、陽極用等電位領域２２と陰極用等電位領域２３のいずれもが外部に露出しない状態となっている。
この陽極側導通部７０、陰極側導通部７１は、平面視した形状が四角形状（正方形状）となる部分となっている。
【００９０】
ここで、第１Ｌ型ＦＰＣ１５０の陽極用等電位領域２２、陰極用等電位領域２３についてさらに詳細に説明する。
なお、陽極用等電位領域２２、陰極用等電位領域２３は、各部がいずれも膜状又は薄板状の部分であり、各部の部材厚方向は第１Ｌ型ＦＰＣ１５０の部材厚方向と同方向となっている。
【００９１】
陽極用等電位領域２２は、図４、図７で示されるように、裏面側（図７における上側）に位置する陽極用連結板１６０（表側陽極領域）と、図３、図７で示されるように、圧着面側（図７における下側）に位置する２つの陽極用パッド形成板１６１（接触面側陽極領域）を備えている。そして、スルーホール等を介して陽極用連結板１６０と２つの陽極用パッド形成板１６１とが同電位となるように電気的に接続された状態となっている。
【００９２】
陰極用等電位領域２３は、図４、図７で示されるように、裏面側（図７における上側）に位置する陰極用連結板１７０（表側陰極領域）と、図３、図７で示されるように、圧着面側（図７における下側）に位置する４つの陰極用パッド形成板１７１（接触面側陰極領域）を備えている。そして、スルーホール等を介して陰極用連結板１７０と４つの陰極用パッド形成板１７１とが同電位となるように電気的に接続された状態となっている。
【００９３】
陽極用連結板１６０、陰極用連結板１７０は、いずれも平面視した形状がＬ字状となるように延びる連結板本体１６０ａ（又は連結板本体１７０ａ）と、連結板本体１６０ａの延び方向における一方の端部に位置するパッド用板部１６０ｂ（又はパッド用板部１７０ｂ）を備えている。そして、これら連結板本体１６０ａ（又は連結板本体１７０ａ）、パッド用板部１６０ｂ（又はパッド用板部１７０ｂ）が一体に形成された部分である。
【００９４】
ここで、２つの連結板本体１６０ａ、１７０ａは、第１Ｌ型ＦＰＣ１５０のうち、ＦＰＣ接続パッド配置部１５３、１５４と異なる部分に配されており、第１Ｌ型ＦＰＣ１５０の延び方向に沿って延びている。
【００９５】
これに対し、パッド用板部１６０ｂ、１７０ｂは、いずれも平面視した形状が四角形状（正方形状）であって、それぞれが異なるＦＰＣ接続パッド配置部１５３、１５４に配されている。そして、パッド用板部１６０ｂ、１７０ｂは、連続する他の部分よりも広く面状に広がった部分となっている。すなわち、パッド用板部１６０ｂ、１７０ｂは連続する部分よりも幅方向の長さが長くなっている。
なお、ここでいう幅方向とは、連結板本体１６０ａ、１７０ａの幅方向である。
【００９６】
ここで、２つ連結板本体１６０ａ、１７０ａは、互いに平行となるように延びている。
より具体的に説明すると、２つの連結板本体１６０ａ、１７０ａのうち、陰極用連結板１７０の連結板本体１７０ａは、面状発光装置１００の形成時において、陽極用連結板１６０の連結板本体１６０ａの外側に位置するように配されている（図１、図４、図７参照）。
このとき、外側に位置する陰極用連結板１７０の連結板本体１７０ａの各部と、内側に位置する陽極用連結板１６０の連結板本体１６０ａの各部とが接触しないように、これらの間に間隔が形成されている。つまり、陰極用連結板１７０の連結板本体１７０ａの各部は、陽極用連結板１６０の連結板本体１６０ａから外側に離れた位置に配されている。
【００９７】
そして、第１Ｌ型ＦＰＣ１５０の延び方向における片側端部側に位置する部分では、陽極用連結板１６０の連結板本体１６０ａとパッド用板部１６０ｂが連続し、陰極用連結板１７０の連結板本体１７０ａの端部とパッド用板部１６０ｂの間に間隔が形成されている。
対して、延び方向における他方端部側に位置する部分では、陰極用連結板１７０の連結板本体１７０ａとパッド用板部１７０ｂが連続し、陽極用連結板１６０の連結板本体１６０ａの端部とパッド用板部１７０ｂの間に間隔が形成されている。
【００９８】
ここで、第１Ｌ型ＦＰＣ１５０のうち、ＦＰＣ接続パッド配置部１５３、１５４ではない部分において、その圧着面側に２つの陽極用パッド形成板１６１と、４つの陰極用パッド形成板１７１が配されている。そして、これらのそれぞれは、第１Ｌ型ＦＰＣ１５０の長手方向に沿って延びる長方形平板状の部分となっている。
具体的に説明すると、本体片側部１５０ａの圧着面側に１つの陽極用パッド形成板１６１と、２つの陰極用パッド形成板１７１が配されており、本体他方部１５０ｂの圧着面側に他の１つの陽極用パッド形成板１６１と、２つの陰極用パッド形成板１７１が配されている。
【００９９】
そして、本体片側部１５０ａと本体他方部１５０ｂのそれぞれにおいて、長手方向における片側端部側から他方端部側へ向かって、１つ目の陰極用パッド形成板１７１、陽極用パッド形成板１６１、２つ目の陰極用パッド形成板１７１の順に配されており、これらが間隔を空けて並列した状態となっている。
【０１００】
これら陽極用パッド形成板１６１と陰極用パッド形成板１７１は、いずれも２つの連結板本体１６０ａ、１７０ａから圧着面側に離れた位置に配されており、２つの連結板本体１６０ａ、１７０ａのそれぞれと、第１Ｌ型ＦＰＣ１５０の部材厚方向（図７の上下方向）において間隔を空けて重なるように配されている。
【０１０１】
したがって、陽極用パッド形成板１６１、陰極用パッド形成板１７１のぞれぞれは、いずれもその一部が、一方の連結板本体１６０ａと、第１Ｌ型ＦＰＣ１５０の部材厚方向（図７の上下方向）において間隔を空けて重なるように配されている。さらに、他の一部が、もう一方の連結板本体１７０ａと、第１Ｌ型ＦＰＣ１５０の部材厚方向（図７の上下方向）において間隔を空けて重なるように配されている。
【０１０２】
さらに、２つの連結板本体１６０ａ、１７０ａのそれぞれの幅方向の長さは、いずれも、第１Ｌ型ＦＰＣ１５０の部材厚方向（図７の上下方向）で離れた位置にある陽極用パッド形成板１６１、陰極用パッド形成板１７１の幅方向の長さよりも短くなっている。
【０１０３】
これに対して、２つのパッド用板部１６０ｂ、１７０ｂから、第１Ｌ型ＦＰＣ１５０の部材厚方向（図７の上下方向）に離れた位置（圧着面側に離れた位置）には、陽極用パッド形成板１６１と陰極用パッド形成板１７１のいずれもが位置しない状態となっている。
また、屈曲連続部１５０ｃにおいても、図４、図７で示されるように、陽極用連結板１６０、陰極用連結板１７０のそれぞれから、圧着面側に離れた位置に、陽極用パッド形成板１６１と陰極用パッド形成板１７１のいずれもが位置しない状態となっている。
【０１０４】
続いて、第１Ｌ型ＦＰＣ１５０と対となる第２Ｌ型ＦＰＣ１５１について詳細に説明する。
【０１０５】
第２Ｌ型ＦＰＣ１５１もまた、図３で示されるように、平面視した形状がＬ字状となるように一部が屈曲して延びている。そして、延び方向における片側端部に一方のＦＰＣ接続パッド配置部１５５が位置し、他方側端部に他方のＦＰＣ接続パッド配置部１５６が位置している。
このＦＰＣ接続パッド配置部１５５、１５６は、図３で示されるように、それぞれに後述する陽極側導通部７２と、陰極側導通部７３が配され、上記したＦＰＣ接続パッド２Ａ２、２Ａ３を形成する部分となっている。
【０１０６】
つまり、第２Ｌ型ＦＰＣ１５１もまた、平面視において、長手方向の一端側に位置する陽極用のＦＰＣ接続パッド配置部１５５を含んで直線状に延びる部分である本体片側部１５１ａと、長手方向の一端側に位置するＦＰＣ接続パッド配置部１５６を含んで直線状に延びる部分である本体他方部１５１ｂとを有している。そして、これらの直線状に延びる部分の他端側同士が屈曲連続部１５１ｃで連続している。
言い換えると、本体片側部１５１ａと本体他方部１５１ｂの長手方向における他端側同士が、屈曲連続部１５１ｃを介して連続している。そして、本体片側部１５１ａの延び方向と、本体他方部１５１ｂの延び方向は、異なる方向であり、互いに直交する方向となっている。
【０１０７】
さらに本体片側部１５１ａには、面状発光装置１００を形成した際に内側に位置する縁部分から、さらに内側へ突出するように給電用端子４０が設けられている（図１、図４参照）。
【０１０８】
ここで、第２Ｌ型ＦＰＣ１５１の各部における幅方向の長さは、給電用端子４０が形成されている部分が最も長く、ＦＰＣ接続パッド配置部１５５、１５６が位置する部分が次に長く、その他の部分が最も短くなっている。
なお、ここでいう幅方向とは、第２Ｌ型ＦＰＣ１５１の幅方向である。
【０１０９】
したがって、ＦＰＣ接続パッド配置部１５５、１５６の幅方向の長さは、連続する他の部分の幅方向の長さよりもやや長くなっている。
【０１１０】
第２Ｌ型ＦＰＣ１５１もまた、上記したように、陽極用等電位領域２２と陰極用等電位領域２３を含んでいる。これらはいずれも導電線（導電経路）として機能する部分であり、一部が外部に露出している。
具体的には、図３で示されるように、第２Ｌ型ＦＰＣ１５１の圧着面側において、陽極用等電位領域２２の一部が露出し、陽極側導通部７２、陽極用タイル接続パッド２Ａ１２を形成している。さらに、第２Ｌ型ＦＰＣ１５１の圧着面側で陰極用等電位領域２３の一部が露出して陰極用タイル接続パッド２Ａ１３、陰極側導通部７３を形成している。
そして、図４で示されるように、第２Ｌ型ＦＰＣ１５１の裏面側では、給電用端子４０を除いた部分で、陽極用等電位領域２２、陰極用等電位領域２３のいずれもが外部に露出しない状態となっている。
【０１１１】
まず、本体片側部１５１ａの圧着面側では、ＦＰＣ接続パッド配置部１５５が位置する端部側から屈曲連続部１５１ｃ側へ向かって、陽極側導通部７２、１つ目の陰極用タイル接続パッド２Ａ１３、陽極用タイル接続パッド２Ａ１２、２つ目の陰極用タイル接続パッド２Ａ１３が順に配されている。そしてこれらが、本体片側部１５１ａの長手方向に沿って間隔を空けて並列した状態となっている。
【０１１２】
対して、本体他方部１５１ｂの圧着面側では、ＦＰＣ接続パッド配置部１５６が位置する端部側から屈曲連続部１５１ｃ側へ向かって、陰極側導通部７３と１つ目の陰極用タイル接続パッド２Ａ１３が一体となった一つのパッド、陽極用タイル接続パッド２Ａ１２、２つ目の陰極用タイル接続パッド２Ａ１３が順に配されている。そしてこれら３つのパッドが、本体他方部１５１ｂの長手方向に沿って間隔を空けて並列した状態となっている。
【０１１３】
そして、屈曲連続部１５１ｃの圧着面では、陽極用等電位領域２２と陰極用等電位領域２３のいずれもが外部に露出しない状態となっている。つまり、陽極側導通部７２、陰極側導通部７３、陽極用タイル接続パッド２Ａ１２、陰極用タイル接続パッド２Ａ１３のいずれも形成されていない状態となっている。
【０１１４】
より具体的には、本体片側部１５１ａのうち、ＦＰＣ接続パッド配置部１５５の圧着面に、陽極側導通部７２が形成されている。この陽極側導通部７２の平面視した形状は四角形状（正方形状）となっている。
また、本体片側部１５１ａの一部であり、ＦＰＣ接続パッド配置部１５５と屈曲連続部１５０ｃの間に位置する部分に、陽極用タイル接続パッド２Ａ１２、陰極用タイル接続パッド２Ａ１３が位置している。この陽極用タイル接続パッド２Ａ１２、陰極用タイル接続パッド２Ａ１３は、いずれも平面視した形状が本体片側部１５１ａの長手方向に沿って延びる長方形状となっている。そして、陽極用タイル接続パッド２Ａ１２の長手方向の長さが、陰極用タイル接続パッド２Ａ１３の長手方向の長さよりも長くなっている。
【０１１５】
これに対して、本体他方部１５１ｂの圧着面側では、一つのパッドの一部がＦＰＣ接続パッド配置部１５６の圧着面に配され、他部がこのＦＰＣ接続パッド配置部１５６と連続する部分の圧着面に配されている。つまり、ＦＰＣ接続パッド配置部１５６と、ＦＰＣ接続パッド配置部１５６の連続する部分に跨って配される一つのパッドが形成されている。
そして、この一つのパッドのうち、ＦＰＣ接続パッド配置部１５６の圧着面に配された部分が陰極側導通部７３となり、他部が陰極用タイル接続パッド２Ａ１３となる。
【０１１６】
この陰極側導通部７３と陰極用タイル接続パッド２Ａ１３を形成する一つのパッドは、平面視した形状が、一部に拡幅された部分を有する長方形状であり、本体他方部１５１ｂの長手方向に沿って延びる長方形状となっている。このとき、陰極側導通部７３に相当する部分が、他部よりも本体他方部１５１ｂの幅方向に長くなっている。
また、本体他方部１５１ｂに形成される陽極用タイル接続パッド２Ａ１２、陰極用タイル接続パッド２Ａ１３は、いずれも平面視した形状が本体他方部１５１ｂの長手方向に沿って延びる長方形状となっている。
そして、これら３つのパッドの平面視における長手方向の長さは、陽極用タイル接続パッド２Ａ１２が最も長く、陰極側導通部７３と陰極用タイル接続パッド２Ａ１３を形成する一つのパッドが次いで長く、陰極用タイル接続パッド２Ａ１３が最も短くなっている。
【０１１７】
ここで、第２Ｌ型ＦＰＣ１５１の陽極用等電位領域２２、陰極用等電位領域２３についてさらに詳細に説明する。
なお、陽極用等電位領域２２、陰極用等電位領域２３は、各部がいずれも膜状又は薄板状の部分であり、各部の部材厚方向は第２Ｌ型ＦＰＣ１５１の部材厚方向と同方向となっている。
【０１１８】
第２Ｌ型ＦＰＣ１５１の陽極用等電位領域２２は、図４、図８で示されるように、裏面側（図８における上側）に位置する第１陽極用連結板１８０（表側陽極領域）、第２陽極用連結板１８１（表側陽極領域）を備えている。さらに、図３、図８で示されるように、圧着面側（図８における下側）に位置する第１陽極用パッド形成板１８３（接触面側陽極領域）、第２陽極用パッド形成板１８４（接触面側陽極領域）、第３陽極用パッド形成板１８５（接触面側陽極領域）を備えている。そして、スルーホール等を介して、２つの連結板（第１陽極用連結板１８０、第２陽極用連結板１８１）と、３つのパッド形成板（第１陽極用パッド形成板１８３、第２陽極用パッド形成板１８４、第３陽極用パッド形成板１８５）が同電位となるように電気的に接続された状態となっている。
【０１１９】
より具体的には、図９で示されるように、第１陽極用連結板１８０と第２陽極用連結板１８１は、いずれも第２陽極用パッド形成板１８４と電気的に接続されている。そして、第１陽極用連結板１８０は、第２陽極用パッド形成板１８４の他、第１陽極用パッド形成板１８３とも電気的に接続されている。さらに、図９、図１０で示されるように、第２陽極用連結板１８１は、第２陽極用パッド形成板１８４の他、第３陽極用パッド形成板１８５とも電気的に接続されている。
【０１２０】
第２Ｌ型ＦＰＣ１５１の陰極用等電位領域２３は、図４、図８で示されるように、裏面側（図８における上側）に位置する陰極用連結板１９０（表側陰極領域）を備えている。さらに、図３、図８で示されるように、圧着面側（図８における下側）に位置する第１陰極用パッド形成板１９２（接触面側陰極領域）、第２陰極用パッド形成板１９３（接触面側陰極領域）、第３陰極用パッド形成板１９４（接触面側陰極領域）、第４陰極用パッド形成板１９５（接触面側陰極領域）を備えている。そして、図９、図１０等で示されるように、スルーホール等を介して、これら陰極用連結板１９０と、４つのパッド形成板（第１陰極用パッド形成板１９２、第２陰極用パッド形成板１９３、第３陰極用パッド形成板１９４、第４陰極用パッド形成板１９５）が同電位となるように電気的に接続された状態となっている。
【０１２１】
第１陽極用連結板１８０は、図４、図８で示されるように、平面視した形状が直線状に延びる長方形状であって、本体片側部１５１ａの長手方向における中心側から、ＦＰＣ接続パッド配置部１５５が位置する端部側へ向かって直線状に延びている。そして、この第１陽極用連結板１８０のうち、ＦＰＣ接続パッド配置部１５５が位置する端部に位置する部分は、他の部分と比べて幅方向の長さがやや長くなっている。
なお、この第１陽極用連結板１８０の幅方向は、第２Ｌ型ＦＰＣ１５１（本体片側部１５１ａ）の幅方向と同方向となっている。
【０１２２】
第２陽極用連結板１８１は、平面視した形状がＬ字状となるように一部が屈曲して延びている。具体的には、図４、図８で示されるように、本体片側部１５１ａの長手方向における中心側から、屈曲連続部１５１ｃ側へ向かって直線状に延びて屈曲し、本体他方部１５１ｂの長手方向に沿って延びている。
つまり、第２陽極用連結板１８１は、本体片側部１５１ａにおいて長手方向に沿って延びる部分と、本体他方部１５１ｂにおいて長手方向に沿って延びる部分とを有しており、これらが連続して形成された部分である。
【０１２３】
陰極用連結板１９０は、図８で示されるように、平面視した形状がＬ字状となるように一部が屈曲して延びている本体部分１９０ａと、陰極側端子用板部１９０ｂを有している。陰極側端子用板部１９０ｂは、図１、図８で示されるように、本体部分１９０ａのうちで面状発光装置１００を形成した際に内側に位置する縁部分から、さらに内側へ突出するように形成された部分である。
【０１２４】
陰極側端子用板部１９０ｂは、図８で示されるように、第１陽極用連結板１８０と第２陽極用連結板１８１の間に位置する幅方向の長さが長い基端部２００と、この基端部２００から、面状発光装置１００を形成した際に内側となる方向へ突出する突出板部２０１を備えている。より具体的には、突出板部２０１は、基端部２００のうち、第２陽極用連結板１８１よりの位置から突出する部分となっている。
また、この陰極側端子用板部１９０ｂは、図４で示されるように、本体片側部１５１ａの長手方向における中心周辺の部分と、給電用端子４０が形成される部分とに跨って設けられる部分となっている。
【０１２５】
ここで、第１陽極用連結板１８０のうち、拡幅された端部側周辺を除いた部分と、陰極用連結板１９０の本体部分１９０ａとが、互いに平行となるように延びている。また、第２陽極用連結板１８１と、陰極用連結板１９０の本体部分１９０ａとが、互いに平行となるように延びている。
すなわち、面状発光装置１００の形成時において、第１陽極用連結板１８０の拡幅された端部側周辺を除いた部分の外側となる位置に、陰極用連結板１９０の本体部分１９０ａが配されている。また、面状発光装置１００の形成時において、第２陽極用連結板１８１の外側となる位置に、陰極用連結板１９０の本体部分１９０ａが配されている。
そして、陰極用連結板１９０の本体部分１９０ａと、その内側に位置する第１陽極用連結板１８０の一部及び第２陽極用連結板１８１の間には、これらが接触しないように間隔が形成されている。
【０１２６】
より具体的には、図３等で示されるように、本体片側部１５１ａのうち、ＦＰＣ接続パッド配置部１５５からやや長手方向における中心よりの位置から、陰極側端子用板部１９０ｂが位置する部分よりややＦＰＣ接続パッド配置部１５５よりの部分の間で、第１陽極用連結板１８０の一部と陰極用連結板１９０の本体部分１９０ａが互いに並列して延びている。
【０１２７】
また、第２Ｌ型ＦＰＣ１５１のうち、本体片側部１５１ａと本体他方部１５１ｂに跨って延びる部分において、第２陽極用連結板１８１と陰極用連結板１９０の本体部分１９０ａが互いに並列して延びている。
つまり、本体片側部１５１ａの長手方向における中心近傍から、屈曲連続部１５１ｃを経て、本体他方部１５１ｂのＦＰＣ接続パッド配置部１５６位置する端部近傍までの間で延びている。なお、ここでいう「本体片側部１５１ａの長手方向における中心近傍」とは、陰極側端子用板部１９０ｂが位置する部分よりやや屈曲連続部１５１ｃよりの部分である。また、「ＦＰＣ接続パッド配置部１５６位置する端部近傍」とは、ＦＰＣ接続パッド配置部１５６位置する部分よりもやや屈曲連続部１５１ｃよりの部分である。
【０１２８】
そして、第２陽極用連結板１８１と陰極用連結板１９０の本体部分１９０ａは、本体片側部１５１ａにおいて間隔を空けて並列しつつ直線状に延び、屈曲連続部１５１ｃにおいて間隔を空けて並列した状態を維持しつつそれぞれが屈曲し、本体他方部１５１ｂにおいて間隔を空けて並列しつつ直線状に延びている。
【０１２９】
第１陽極用パッド形成板１８３は、図８、図１１で示されるように、平面視した形状が四角形状（正方形状）となっており、ＦＰＣ接続パッド配置部１５５の圧着面側に位置している。
【０１３０】
第２陽極用パッド形成板１８４は、図８、図１２で示されるように、平面視した形状が略凸字状となる部分である。この第２陽極用パッド形成板１８４は、パッド形成板部１８４ａと陽極側端子用板部１８４ｂを有する構造となっている。
パッド形成板部１８４ａは、平面視した形状が、本体片側部１５１ａの長手方向に沿って延びる長方形状の部分である。
陽極側端子用板部１８４ｂは、パッド形成板部１８４ａのうち、面状発光装置１００を形成した際に内側に位置する縁部分から、さらに内側（図１２における左上側）へ突出する部分である。すなわち、陽極側端子用板部１８４ｂは、平面視した形状が、本体片側部１５１ａの長手方向と直交する方向（本体他方部１５１ｂの長手方向）に沿って延びる長方形状の部分となっている。
【０１３１】
第３陽極用パッド形成板１８５は図８、図１１で示されるように、平面視した形状が、本体他方部１５１ｂの長手方向に沿って延びる長方形状の部分である。
【０１３２】
第１陰極用パッド形成板１９２、第２陰極用パッド形成板１９３は、平面視した形状が本体片側部１５１ａに沿って延びる長方形状であり、第３陰極用パッド形成板１９４は、平面視した形状が本体他方部１５１ｂに沿って延びる長方形状となっている。第４陰極用パッド形成板１９５は、本体他方部１５１ｂに沿って延び、平面視した形状が一部に拡幅した部分を有する長方形状となっている。
【０１３３】
ここで、本体片側部１５１ａでは、圧着面側において、ＦＰＣ接続パッド配置部１５５が位置する端部側から、屈曲連続部１５１ｃが位置する端部へ向かって、第１陽極用パッド形成板１８３、第１陰極用パッド形成板１９２、パッド形成板部１８４ａ、第２陰極用パッド形成板１９３の順に配されている。そして、これらが本体片側部１５１ａの長手方向に沿って、それぞれ間隔を空けて並列した状態となっている。
【０１３４】
対して、本体他方部１５１ｂでは、圧着面側において、屈曲連続部１５１ｃが位置する端部から、ＦＰＣ接続パッド配置部１５６が位置する端部へ向かって、第３陰極用パッド形成板１９４、第３陽極用パッド形成板１８５、第４陰極用パッド形成板１９５の順に配されている。そして、これらが本体他方部１５１ｂの長手方向に沿って、それぞれ間隔を空けて並列した状態となっている。
【０１３５】
ここで、それぞれのパッド形成板（第１陽極用パッド形成板１８３、第２陽極用パッド形成板１８４、第３陽極用パッド形成板１８５、第１陰極用パッド形成板１９２、第２陰極用パッド形成板１９３、第３陰極用パッド形成板１９４、第４陰極用パッド形成板１９５）は、いずれも第１陽極用連結板１８０の一部、第２陽極用連結板１８１の一部、陰極用連結板１９０の一部の少なくとも一つと、第２Ｌ型ＦＰＣ１５１の部材厚方向（図８の上下方向）において間隔を空けて重なるように配されている。
【０１３６】
すなわち、本体片側部１５１ａのうち、ＦＰＣ接続パッド配置部１５５が位置する端部では、図４、図８で示されるように、第１陽極用連結板１８０の拡幅された部分から圧着面側に離れた位置に、第１陽極用パッド形成板１８３が配されている。
つまり、第１陽極用パッド形成板１８３は、第１陽極用連結板１８０の一部と第２Ｌ型ＦＰＣ１５１の部材厚方向で間隔を空けて重なっており、第２陽極用連結板１８１及び陰極用連結板１９０とは同方向において重ならない状態となっている。
なお、第１陽極用連結板１８０の拡幅部分における幅方向の長さは、第１陽極用連結板１８０の同方向における長さよりも短くなっている。
【０１３７】
また、本体片側部１５１ａのうち、ＦＰＣ接続パッド配置部１５５と隣接する位置では、図４、図８で示されるように、並列して延びる第１陽極用連結板１８０の一部と、陰極用連結板１９０の一部（本体部分１９０ａの一部）から圧着面側に離れた位置に、第１陰極用パッド形成板１９２が配されている。
つまり、第１陰極用パッド形成板１９２は、第２陽極用連結板１８１とは第２Ｌ型ＦＰＣ１５１の部材厚方向で重ならない状態となっている。
なお、第１陰極用パッド形成板１９２と間隔を空けて重なる第１陽極用連結板１８０の一部の幅方向の長さと、陰極用連結板１９０の一部の幅方向の長さは、その合計が第１陰極用パッド形成板１９２の同方向における長さよりも短くなっている。
【０１３８】
本体片側部１５１ａのうち、長手方向における中心近傍となる位置では、図４、図８で示されるように、裏面側に第１陽極用連結板１８０の一部、陰極用連結板１９０の本体部分１９０ａの一部、陰極側端子用板部１９０ｂの基端部２００、第２陽極用連結板１８１の一部からなる各部が位置している。そして、これら各部から圧着面側に離れた位置に、第２陽極用パッド形成板１８４のパッド形成板部１８４ａが位置している。
つまり、第２陽極用パッド形成板１８４は、第１陽極用連結板１８０の一部、陰極用連結板１９０の一部、第２陽極用連結板１８１の一部と第２Ｌ型ＦＰＣ１５１の部材厚方向で間隔を空けて重なっている。
なお、第２陽極用パッド形成板１８４と間隔を空けて重なる第１陽極用連結板１８０の一部の幅方向の長さ、陰極用連結板１９０の本体部分における幅方向の長さ、第２陽極用連結板１８１の幅方向の長さは、いずれも第２陽極用パッド形成板１８４の同方向における長さよりも短くなっている。
【０１３９】
また、陰極側端子用板部１９０ｂの基端部２００は、第１陽極用連結板１８０の延び方向における端部と、第２陽極用連結板１８１の延び方向における端部の間であって、それぞれ本体片側部１５１ａの長手方向における中心側に位置する端部同士の間に位置している。
そして、陽極側端子用板部１８４ｂは、陰極側端子用板部１９０ｂから圧着面側に離れた位置の側方に位置している。言い換えると、陽極側端子用板部１８４ｂと陰極側端子用板部１９０ｂは、第２Ｌ型ＦＰＣ１５１の部材厚方向で重ならない状態となっている。
【０１４０】
本体片側部１５１ａのうち、屈曲連続部１５１ｃと隣接する位置では、図４、図８で示されるように、並列して延びる第２陽極用連結板１８１の一部と、陰極用連結板１９０の一部（本体部分１９０ａの一部）から圧着面側に離れた位置に、第２陰極用パッド形成板１９３が配されている。
つまり、第２陰極用パッド形成板１９３は、第１陽極用連結板１８０とは第２Ｌ型ＦＰＣ１５１の部材厚方向で重ならない状態となっている。
なお、第２陰極用パッド形成板１９３と間隔を空けて重なる第２陽極用連結板１８１の一部の幅方向の長さと、陰極用連結板１９０の一部の幅方向の長さは、その合計が第２陰極用パッド形成板１９３の同方向における長さよりも短くなっている。
【０１４１】
そして、屈曲連続部１５１ｃでは、図４、図８で示されるように、裏面側に位置する第１陽極用連結板１８０、陰極用連結板１９０それぞれから圧着面側に離れた位置には、それぞれのパッド形成板（２つの陽極用のパッド形成板と、４つの陰極用のパッド形成板）のいずれもが位置しない状態となっている。
【０１４２】
本体他方部１５１ｂのうち、屈曲連続部１５１ｃと隣接する位置では、図４、図８で示されるように、並列して延びる第２陽極用連結板１８１の一部と、陰極用連結板１９０の一部（本体部分１９０ａの一部）から圧着面側に離れた位置に、第３陰極用パッド形成板１９４が配されている。
つまり、第３陰極用パッド形成板１９４は、第１陽極用連結板１８０とは第２Ｌ型ＦＰＣ１５１の部材厚方向で重ならない状態となっている。
なお、第３陰極用パッド形成板１９４と間隔を空けて重なる第２陽極用連結板１８１の一部の幅方向の長さと、陰極用連結板１９０の一部の幅方向の長さは、その合計が第３陰極用パッド形成板１９４の同方向における長さよりも短くなっている。
【０１４３】
本体他方部１５１ｂのうち、長手方向の中心近傍となる位置では、図４、図８で示されるように、並列して延びる第２陽極用連結板１８１の一部と、陰極用連結板１９０の一部（本体部分１９０ａの一部）から圧着面側に離れた位置に、第３陽極用パッド形成板１８５が配されている。
つまり、第３陽極用パッド形成板１８５は、第１陽極用連結板１８０とは第２Ｌ型ＦＰＣ１５１の部材厚方向で重ならない状態となっている。
なお、第３陽極用パッド形成板１８５と間隔を空けて重なる第２陽極用連結板１８１の一部の幅方向の長さと、陰極用連結板１９０の一部の幅方向の長さは、その合計が第３陽極用パッド形成板１８５の同方向における長さよりも短くなっている。
【０１４４】
本体片側部１５１ａのうち、ＦＰＣ接続パッド配置部１５６と隣接する位置では、図４、図８で示されるように、並列して延びる第２陽極用連結板１８１の一部と、陰極用連結板１９０の一部（本体部分１９０ａの一部）から圧着面側に離れた位置に第４陰極用パッド形成板１９５の一部（第３陽極用パッド形成板１８５よりに位置する部分）が配されている。
【０１４５】
つまり、第４陰極用パッド形成板１９５は、第１陽極用連結板１８０とは第２Ｌ型ＦＰＣ１５１の部材厚方向で重ならない状態となっている。さらには、第４陰極用パッド形成板１９５の拡幅された部分であり、ＦＰＣ接続パッド配置部１５６に配される部分は、第２Ｌ型ＦＰＣ１５１の部材厚方向（図１１の上下方向）に離れた位置に、第１陽極用連結板１８０、第２陽極用連結板１８１、陰極用連結板１９０のいずれもが位置しない状態となっている。
なお、第４陰極用パッド形成板１９５と間隔を空けて重なる第２陽極用連結板１８１の一部の幅方向の長さと、陰極用連結板１９０の一部の幅方向の長さは、その合計が第４陰極用パッド形成板１９５の同方向における長さよりも短くなっている。
【０１４６】
そして、図１３、図１４で示されるように、面状発光タイル１０の裏面に第１Ｌ型ＦＰＣ１５０を一体に取り付け、さらに第２Ｌ型ＦＰＣ１５１を取り付けることで、面状発光装置１００の製造が可能となる。
【０１４７】
このとき、第１Ｌ型ＦＰＣ１５０の陽極用のＦＰＣ接続パッド２Ａ２、陰極用のＦＰＣ接続パッド２Ａ３、屈曲連続部１５０ｃがそれぞれ異なる接続部配置領域５０の上に載置され、直接接触した状態となる。
また、第１Ｌ型ＦＰＣ１５０に形成された陽極用タイル接続パッド２Ａ１２（図３等参照）と、陰極用タイル接続パッド２Ａ１３のそれぞれが、面状発光タイル１０に形成された陽極パッド１２と、陰極パッド１３の上に載置され、直接接触した状態となる。
【０１４８】
第２Ｌ型ＦＰＣ１５１は、第１Ｌ型ＦＰＣ１５０を面状発光タイル１０の裏面に載置してなる構造体に対し、面状発光装置１００の形成時における裏面側外方から近接させ、この構造体の上に載置した状態とする。
【０１４９】
このとき、第２Ｌ型ＦＰＣ１５１の陽極用のＦＰＣ接続パッド２Ａ２は、第１Ｌ型ＦＰＣ１５０の陽極用のＦＰＣ接続パッド２Ａ２の上に載置された状態とする。さらに、第２Ｌ型ＦＰＣ１５１の陰極用のＦＰＣ接続パッド２Ａ３は、第１Ｌ型ＦＰＣ１５０の陰極用のＦＰＣ接続パッド２Ａ３の上に載置された状態とする。
そして、第２Ｌ型ＦＰＣ１５１の屈曲連続部１５１ｃは、面状発光タイル１０の接続部配置領域５０であって、第１Ｌ型ＦＰＣ１５０の各部が載置されていない一の接続部配置領域５０の上に載置する。
【０１５０】
また、第１Ｌ型ＦＰＣ１５０と第２Ｌ型ＦＰＣ１５１の陽極用のＦＰＣ接続パッド２Ａ２同士が重なることで、第１Ｌ型ＦＰＣ１５０の裏面側に位置する陽極側導通部７０（図３参照）と、第２Ｌ型ＦＰＣ１５１の圧着面に位置する陽極側導通部７２（図４参照）が直接接触した状態となる。
このことで、第１Ｌ型ＦＰＣ１５０の陽極用等電位領域２２と、第２Ｌ型ＦＰＣ１５１の陽極用等電位領域２２が電気的に接続された状態となる。すなわち、一の電気接続部位３２が形成される。
【０１５１】
同様に、第１Ｌ型ＦＰＣ１５０と第２Ｌ型ＦＰＣ１５１の陰極用のＦＰＣ接続パッド２Ａ３同士が重なることで、第１Ｌ型ＦＰＣ１５０の裏面側に位置する陰極側導通部７１（図３参照）と、第２Ｌ型ＦＰＣ１５１の圧着面に位置する陰極側導通部７３（図４参照）が直接接触した状態となる。
このことで、第１Ｌ型ＦＰＣ１５０の陰極用等電位領域２３と、第２Ｌ型ＦＰＣ１５１の陰極用等電位領域２３が電気的に接続された状態となる。すなわち、もう一方の電気接続部位３３が形成される。
【０１５２】
すなわち、一方の第１Ｌ型ＦＰＣ１５０では、２つのＦＰＣ接続パッド配置部１５３、１５４の裏面側にのみ、陽極側導通部７０、陰極側導通部７１が配されている。そして、他方の第２Ｌ型ＦＰＣ１５１では、２つのＦＰＣ接続パッド配置部１５５、１５６の圧着面側にのみ、陽極側導通部７２、陰極側導通部７３が配されている。
そして、２つのＦＰＣ接続パッド２Ａ２、２Ａ３が重なって形成される電気接続部位３２、３３は複数形成されており、いずれも接続部配置領域５０の上に位置している。
また、それぞれのＦＰＣ２における屈曲連続部１５１ｃもまた、全て接続部配置領域５０の上に位置し、接続部配置領域５０と直接接触している。
【０１５３】
第２Ｌ型ＦＰＣ１５１に形成された陽極用タイル接続パッド２Ａ１２（図３等参照）と、陰極用タイル接続パッド２Ａ１３のそれぞれもまた、面状発光タイル１０に形成された陽極パッド１２と、陰極パッド１３の上に載置され、直接接触した状態となる。
つまり、本実施形態では、いずれも面状発光タイル１０の陽極パッド１２及び陰極パッド１３と接触する部分を有する２つのＦＰＣ２を連結させ、ロ字状ＦＰＣ２Ｏを形成している。
【０１５４】
（一端両極接続ＦＰＣ２Ｂ）
図６（ａ）は、図２に示す面状発光タイル１０に適用できる１組４枚のＦＰＣ２である４つの一端両極接続ＦＰＣ２Ｂ、及び図２に示す面状発光タイル１０の裏面を示す図であり、ＦＰＣ２の取り付け前の様子を示す平面図である。図６（ｂ）は、２枚のＦＰＣ２を取り付けた後の段階を示す平面図である。図６（ｃ）は、４枚のＦＰＣ２を取り付けた後の段階を示す平面図である。なお、図６（ａ）の平面図は、図６（ｂ）の平面図における一部の詳細図を含む。
【０１５５】
図６に示すように、一端両極接続ＦＰＣ２Ｂは、面状発光装置１００に採用される複数のＦＰＣ２の内の少なくとも１つである。複数のＦＰＣ２として４つの一端両極接続ＦＰＣ２Ｂを採用した場合には、各々の一端両極接続ＦＰＣ２Ｂは、全体として一方向に導通する導電経路を有する。すなわち、一端両極接続ＦＰＣ２Ｂは、陽極用等電位領域２２、及び陰極用等電位領域２３を有し、これらが全体として一方向に導通する導電経路として機能する。さらに、一端両極接続ＦＰＣ２Ｂは、一端両極接続部位３ＢＣを有する。
【０１５６】
一端両極接続部位３ＢＣは、導電経路の少なくとも一方向の端部に設けられ、２つのＦＰＣ接続パッド２Ｂ２、２Ｂ３を含んでいる。そして、この２つのＦＰＣ接続パッド２Ｂ２、２Ｂ３の各々が、２つの電気接続部位３２、３３となるものである。即ち、一方のＦＰＣ接続パッド２Ｂ２は、一方の電気接続部位３２の一部となり、他方のＦＰＣ接続パッド２Ｂ３は、他方の電気接続部位３３の一部となるものである。
【０１５７】
すなわち、２つのＦＰＣ接続パッド２Ｂ２、２Ｂ３の各々は、陽極用のＦＰＣ接続パッド２Ｂ２、及び陰極用のＦＰＣ接続パッド２Ｂ３でもある。さらに、陽極用のＦＰＣ接続パッド２Ｂ２は陽極用等電位領域２２の一部でもあり、陰極用のＦＰＣ接続パッド２Ｂ３は陰極用等電位領域２３の一部でもある。
【０１５８】
以下、このような一端両極接続部位３ＢＣを、面状発光タイル１０の給電に用いる具体例を、図６を用いて説明する。
【０１５９】
図６（ａ）は、図２に示す面状発光タイル１０に適用できる１組４枚のＦＰＣ２、及び図２に示す面状発光タイル１０の裏面の外観を示す平面図である。これら４枚のＦＰＣ２はそれぞれが一字形ＦＰＣであり、一端両極接続ＦＰＣ２Ｂでもある。そして、これら４枚のＦＰＣ２によって、上述したロ字状ＦＰＣ２Ｏを形成できる。
【０１６０】
また、これら４枚の一端両極接続ＦＰＣ２Ｂは、各々、陽極用等電位領域２２、及び陰極用等電位領域２３を有する。そして、一端両極接続ＦＰＣ２Ｂは、この陽極用等電位領域２２及び陰極用等電位領域２３の一部として、陽極用タイル接続パッド２Ｂ１２及び陰極用タイル接続パッド２Ｂ１３を有する（図１５参照）。陽極用タイル接続パッド２Ｂ１２及び陰極用タイル接続パッド２Ｂ１３は、図２で示す面状発光タイル１０の陽極パッド１２及び陰極パッド１３に対応している。
【０１６１】
更に、これら４枚の一端両極接続ＦＰＣ２Ｂの各々には、これら相互のＦＰＣ２同士を接続する為の、陽極用のＦＰＣ接続パッド２Ｂ２、及び陰極用のＦＰＣ接続パッド２Ｂ３が設けられている。具体的には、陽極用のＦＰＣ接続パッド２Ｂ２及び陰極用のＦＰＣ接続パッド２Ｂ３からなる２個のパッドを1組として、一端両極接続ＦＰＣ２Ｂの各端部に１組ずつ設けられている。即ち、ＦＰＣ２毎に２組計４個のパッド、４枚のＦＰＣ２で総計１６個のパッドが設けられている。
【０１６２】
これら４枚の一端両極接続ＦＰＣ２Ｂの図２に示す面状発光タイル１０への適用については、図６（ｂ）、及び図６（ｃ）で示す各取り付け段階の図の通りに実施できる。
【０１６３】
さらに、上記した４つの一端両極接続ＦＰＣ２Ｂについて、さらに具体的に説明する。
【０１６４】
４つの一端両極接続ＦＰＣ２Ｂは、４つで１組のＦＰＣ２であり、図６で示されるように、一つのロ字状ＦＰＣ２Ｐ(環状配線板)を形成する。この４つの一端両極接続ＦＰＣ２Ｂには、給電用端子４０が形成された１つの一端両極接続ＦＰＣ２Ｂ（以下、第１Ｉ型ＦＰＣ２１０とも称す）が含まれている。
また、他の一つとして、面状発光装置１００の形成時に第１Ｉ型ＦＰＣ２１０と接触しない一端両極接続ＦＰＣ２Ｂ（以下、第２Ｉ型ＦＰＣ２１１とも称す）が含まれている。
さらに、他の二つとして、面状発光装置１００の形成時に第１Ｉ型ＦＰＣ２１０と第２Ｉ型ＦＰＣ２１１の双方と接触し、一方の長手方向の端部から他方の長手方向の端部までの間で延びる２つの一端両極接続ＦＰＣ２Ｂ（以下、第３Ｉ型ＦＰＣ２１２とも称す）が含まれている。
【０１６５】
第１Ｉ型ＦＰＣ２１０は、図６で示されるように、平面視した形状がＩ字状となるように直線状に延びており、面状発光装置１００を形成した際に内側に位置する縁部分からさらに内側へ突出するように、給電用端子４０が設けられている。
また、図１５、図１６で示されるように、第１Ｉ型ＦＰＣ２１０の延び方向における両端部のそれぞれには、ＦＰＣ接続パッド配置部２５０、２５１が位置している。
このＦＰＣ接続パッド配置部２５０、２５１は、図１６で示されるように、それぞれに陽極側導通部７４（上記したＦＰＣ接続パッド２Ｂ２に相当）と、陰極側導通部７５（上記したＦＰＣ接続パッド２Ｂ３に相当）とが配されることで、上記した一端両極接続部位３ＢＣを形成する部分となっている。
【０１６６】
ＦＰＣ接続パッド配置部２５０、２５１では、幅方向の長さが、給電用端子４０が形成されている部分を除いた他の部分の同方向の長さよりも長くなっている。
なお、ここでいう幅方向とは、第１Ｉ型ＦＰＣ２１０の幅方向である。
【０１６７】
ここで、第１Ｉ型ＦＰＣ２１０は、上記したように、陽極用等電位領域２２と陰極用等電位領域２３を含んでいる。これらはいずれも導電線として機能する部分であり、一部が外部に露出している。
具体的には、第１Ｉ型ＦＰＣ２１０の圧着面側において、図１５で示されるように、陽極用等電位領域２２の一部が露出して陽極用タイル接続パッド２Ｂ１２を形成しており、陰極用等電位領域２３の一部が露出して陰極用タイル接続パッド２Ｂ１３を形成している。また、第１Ｉ型ＦＰＣ２１０の裏面側では、図１６で示されるように、一端両極接続部位３ＢＣにおいて、陽極用等電位領域２２の一部が露出して陽極側導通部７４を形成し、陰極用等電位領域２３の一部が露出して陰極側導通部７５を形成している。
なお、第１Ｉ型ＦＰＣ２１０（一端両極接続ＦＰＣ２Ｂ）の圧着面は、面状発光タイル１０と接触する接触面でもあり、この接触面とは反対側に位置する面が裏面（表側面）となる。この圧着面と裏面（接触面と表側面）は、第１Ｉ型ＦＰＣ２１０の部材厚方向で離間対向する面となっている。
【０１６８】
陽極用タイル接続パッド２Ｂ１２、陰極用タイル接続パッド２Ｂ１３は、図１５で示されるように、いずれも平面視した形状が第１Ｉ型ＦＰＣ２１０の長手方向に沿って延びる長方形状となっている。なお、陽極用タイル接続パッド２Ｂ１２の長手方向の長さが、陰極用タイル接続パッド２Ｂ１３の長手方向の長さよりも長くなっている。
【０１６９】
これら陽極用タイル接続パッド２Ｂ１２、陰極用タイル接続パッド２Ｂ１３は、第１Ｉ型ＦＰＣ２１０の幅方向のうち、片側端部（面状発光装置１００の形成時において外側となる端部）よりの位置に配されている。なお、この片側端部よりの位置とは、図３における第１Ｉ型ＦＰＣ２１０の上側よりの位置である。
【０１７０】
また、第１Ｉ型ＦＰＣ２１０の圧着面では、第１Ｉ型ＦＰＣ２１０の長手方向に沿って、片側端部から他方側端部へ向かって、１つ目の陰極用タイル接続パッド２Ｂ１３、陽極用タイル接続パッド２Ｂ１２、２つ目の陰極用タイル接続パッド２Ｂ１３の順に間隔を開けて並列した状態となっている。
【０１７１】
このとき、これら陽極用タイル接続パッド２Ｂ１２、陰極用タイル接続パッド２Ｂ１３は、いずれもＦＰＣ接続パッド配置部２５０、２５１とは異なる位置に配されている。つまり、２つの一端両極接続部位３ＢＣそれぞれの圧着面側では、陽極用等電位領域２２と陰極用等電位領域２３のそれぞれが外部に露出しない状態となっている。
【０１７２】
また、図６、図１６で示されるように、第１Ｉ型ＦＰＣ２１０の裏面のうち、それぞれのＦＰＣ接続パッド配置部２５０、２５１裏面には、陽極側導通部７４、陰極側導通部７５が一つずつ形成されている。
【０１７３】
具体的には、図６、図１６で示されるように、ＦＰＣ接続パッド配置部２５０、２５１の裏面のうち、第１Ｉ型ＦＰＣ２１０の長手方向における端部から中心側に離れた位置であり、且つ、面状発光装置１００の形成時に外側よりとなる部分に、陽極側導通部７４が形成されている。そして、陽極側導通部７４から第１Ｉ型ＦＰＣ２１０の長手方向における端部側に離れた位置であり、且つ、面状発光装置１００の形成時に内側よりとなる部分に陰極側導通部７５が形成されている。
これら陽極側導通部７４と、陰極側導通部７５を平面視した形状は、いずれも角部分が丸みを帯びた四角形状となっている。
【０１７４】
ここで、第１Ｉ型ＦＰＣ２１０の陽極用等電位領域２２、陰極用等電位領域２３についてさらに詳細に説明する。
なお、陽極用等電位領域２２、陰極用等電位領域２３は、各部がいずれも膜状又は薄板状の部分であり、各部の部材厚方向は第１Ｉ型ＦＰＣ２１０の部材厚方向と同方向となっている。
【０１７５】
陽極用等電位領域２２は、図１６、図１７で示されるように、裏面側（図１７における上側）に位置する２つの陽極用パッド形成板３００（表側陽極領域）と、圧着面側（図１７における下側）に位置する本体板３０１（接触面側陽極領域）を備えている。そして、スルーホール等を介して２つの陽極用パッド形成板３００と本体板３０１とが同電位となるように電気的に接続された状態となっている。
【０１７６】
陰極用等電位領域２３は、図１６、図１７で示されるように、裏面側（図１７における上側）に位置する陰極用連結板４００（表側陰極領域）と、圧着面側（図１７における下側）に位置する２つの陰極用パッド形成板４０１（接触面側陰極領域）を備えている。そして、スルーホール等を介して陰極用連結板４００と２つの陰極用パッド形成板４０１とが同電位となるように電気的に接続された状態となっている。
【０１７７】
陽極用パッド形成板３００は、図１６で示されるように、ＦＰＣ接続パッド配置部２５０、２５１に配される部位であって、平面視した形状が、第１Ｉ型ＦＰＣ２１０の長手方向に沿って延びる長方形状となっている。より具体的には、後述する陰極用連結板４００の欠落部４０５に配される部位であり、第１Ｉ型ＦＰＣ２１０の長手方向の中心側に位置する部分の幅方向の長さが、他の部分よりも拡幅された形状となっている。
なお、陽極用パッド形成板３００の幅方向は、第１Ｉ型ＦＰＣ２１０の幅方向と同方向となっている。
【０１７８】
本体板３０１は、図１８で示されるように、陽極用パッド形成板部３０５と、陽極側端子用板部３０６と、２つの延設板部３０７とが一体となって形成される部分となっている。
【０１７９】
陽極用パッド形成板部３０５は、第１Ｉ型ＦＰＣ２１０の長手方向における中心近傍に配される部分であり、その平面視した形状が、第１Ｉ型ＦＰＣ２１０の長手方向に沿って延びる長方形状となっている。
【０１８０】
陽極側端子用板部３０６は、陽極用パッド形成板部３０５の縁部分から突出するように形成された部分であり、平面視における形状が突出方向に延びる長方形状となっている。ここで、陽極側端子用板部３０６は、陽極用パッド形成板部３０５の縁部分のうち、面状発光装置１００を形成した際に内側に位置する縁部分（図６、図１６等参照）から、さらに内側へ向かって突出している。つまり、陽極側端子用板部３０６の長手方向は、陽極用パッド形成板部３０５の長手方向と交わる（直交する）方向となっている。
【０１８１】
延設板部３０７は、長板部３０７ａと、端部側板部３０７ｂを備えた構造となっている。
長板部３０７ａは、陽極用パッド形成板部３０５の長手方向における端部から突出し、第１Ｉ型ＦＰＣ２１０の長手方向に沿って延びる部分である。つまり、第１Ｉ型ＦＰＣ２１０の長手方向における中心側から端部近傍までの間で延びている。
そして、長板部３０７ａは、第１Ｉ型ＦＰＣ２１０のうち、面状発光装置１００を形成した際に内側よりとなる部分で延びている。すなわち、長板部３０７ａの幅方向の長さは、陽極用パッド形成板部３０５の幅方向の長さよりも短く、陽極用パッド形成板部３０５の側方のうち、面状発光装置１００を形成した際に内側よりとなる側方に位置している。
【０１８２】
端部側板部３０７ｂは、長板部３０７ａの突出端、すなわち、ＦＰＣ接続パッド配置部２５０、２５１側（一端両極接続部位３ＢＣ側）の端部と連続する部分であり、平面視した形状が長方形状となる部分である。より具体的には、端部側板部３０７ｂの平面視した形状は、長板部３０７ａの延び方向と直交する方向（幅方向）に延びる長方形状となっている。
すなわち、延設板部３０７は、平面視した形状がＬ字状となるように延びる部分となっている。
【０１８３】
ここで、陽極用パッド形成板部３０５と端部側板部３０７ｂの間であって、面状発光装置１００を形成した際に長板部３０７ａの外側（幅方向における外側）に隣接する位置には、周囲の３方を陽極用パッド形成板部３０５、長板部３０７ａ、端部側板部３０７ｂに囲まれた部分である欠落部３０８が形成されている。
つまり、本体板３０１のうち、陽極側端子用板部３０６を除いた部分は、第１Ｉ型ＦＰＣ２１０を平面視した形状と相似形となる膜状又は薄板状の部分に対し、２つの欠落部３０８を形成した形状となっている。
この２つの欠落部３０８は、第１Ｉ型ＦＰＣ２１０の長手方向で離れた位置にそれぞれ設けられており、平面視した形状が、第１Ｉ型ＦＰＣ２１０の長手方向に沿って延びる長方形状となっている。
【０１８４】
また、端部側板部３０７ｂの一部から裏面側に離れた位置（図１７における上側に離れた位置）には、陽極用パッド形成板３００の一部が位置している。すなわち、端部側板部３０７ｂの一部と陽極用パッド形成板３００の一部は、第１Ｉ型ＦＰＣ２１０の部材厚方向で間隔を空けて重なる位置に配されている。
【０１８５】
陰極用連結板４００は、長板部４００ａと、陰極側端子用板部４００ｂとが一体となって形成される部分である。
長板部４００ａは、第１Ｉ型ＦＰＣ２１０の長手方向に沿って延びる部分であり、第１Ｉ型ＦＰＣ２１０を平面視した形状と相似形となる膜状又は薄板状の部分に対し、２つの欠落部４０５を形成した形状となっている。
【０１８６】
欠落部４０５は、平面視した形状が、陽極用パッド形成板３００を平面視した形状と相似形となる空間となっている。すなわち、欠落部４０５を平面視した形状は、陽極用パッド形成板３００の長手方向に沿って延びる長方形状であり、一部分が拡径した長方形状となっている。
【０１８７】
陰極側端子用板部４００ｂは、長板部４００ａの縁部分であり、面状発光装置１００の形成時に内側に位置する縁部分からさらに内側へ突出する部分である。この陰極側端子用板部４００ｂは、平面視した形状が突出方向に延びる長方形状であり、言い換えると、第１Ｉ型ＦＰＣ２１０の長手方向と直交する方向に延びる長方形状となっている。
【０１８８】
陰極用パッド形成板４０１は、平面視した形状が、第１Ｉ型ＦＰＣ２１０の長手方向に沿って延びる長方形状の部分である。そして、２つの陰極用パッド形成板４０１は、それぞれ異なる欠落部３０８に配された状態となっている。
【０１８９】
このことから、第１Ｉ型ＦＰＣ２１０の圧着面側では、長手方向の片側端部側から他方端部側へ向かって、１つ目の陰極用パッド形成板４０１、陽極用パッド形成板部３０５の一部、２つ目の陰極用パッド形成板４０１が間隔を開けて並列した状態となっている。
【０１９０】
第２Ｉ型ＦＰＣ２１１は、第１Ｉ型ＦＰＣ２１０と比べ、給電用端子４０が形成されていない点を除いて同構造の部材となっている。また、内部の陽極用等電位領域２２、陰極用等電位領域２３の構造もまた、陽極用等電位領域２２に陽極側端子用板部３０６が形成されておらず、陰極用等電位領域２３に陰極側端子用板部４００ｂが形成されていない点を除いて同構造の部材となっている。以上のことから、重複する詳細な説明を省略する。
【０１９１】
第３Ｉ型ＦＰＣ２１２もまた、平面視した形状がＩ字状となるように直線状に延びており、延び方向における両端部のそれぞれには、ＦＰＣ接続パッド配置部２５２、２５３（一端両極接続部位３ＢＣ）が形成されている。そして、ＦＰＣ接続パッド配置部２５２、２５３は、幅方向の長さが、連続する他の部分の同方向の長さよりも長くなっている。なお、ここでいう幅方向とは、第３Ｉ型ＦＰＣ２１２の幅方向である。
【０１９２】
第３Ｉ型ＦＰＣ２１２もまた、内部に陽極用等電位領域２２と陰極用等電位領域２３を含んでいる。これらはいずれも導電線として機能する部分であり、一部が外部に露出している。
具体的には、ＦＰＣ接続パッド配置部２５２、２５３の圧着面側において、図１５で示されるように、陽極用等電位領域２２の一部が露出して陽極用タイル接続パッド２Ｂ１２を形成しており、陰極用等電位領域２３の一部が露出して陰極用タイル接続パッド２Ｂ１３を形成している。さらに、第３Ｉ型ＦＰＣ２１２の圧着面側では、ＦＰＣ接続パッド配置部２５２、２５３の圧着面において、陽極用等電位領域２２の一部が露出して陽極側導通部７６（陽極用のＦＰＣ接続パッド２Ｂ２）を形成し、陰極用等電位領域２３の一部が露出して陰極側導通部７７（陰極用のＦＰＣ接続パッド２Ｂ３）を形成している。
【０１９３】
すなわち、上記した第１Ｉ型ＦＰＣ２１０では、裏面側のみに陽極側導通部７４、陰極側導通部７５が形成されているのに対し、第３Ｉ型ＦＰＣ２１２では圧着面側のみに陽極側導通部７６、陰極側導通部７７が形成されている。つまり、第３Ｉ型ＦＰＣ２１２の裏面側では、陽極用等電位領域２２と陰極用等電位領域２３のいずれもが外部に露出しない状態となっている。
【０１９４】
第３Ｉ型ＦＰＣ２１２に形成された陽極用タイル接続パッド２Ｂ１２、陰極用タイル接続パッド２Ｂ１３の形状、配置位置については、第１Ｉ型ＦＰＣ２１０に準じるものであるので、重複する説明を省略する。
【０１９５】
ここで、図６、図１５で示されるように、第３Ｉ型ＦＰＣ２１２の圧着面のうち、ＦＰＣ接続パッド配置部２５２、２５３の圧着面には、陽極側導通部７６、陰極側導通部７７が一つずつ形成されている。つまり、２つの一端両極接続部位３ＢＣのそれぞれには、陽極用のＦＰＣ接続パッド２Ｂ２（陽極側導通部７６）、陰極用のＦＰＣ接続パッド２Ｂ３（陰極側導通部７７）からなる接続パッドの組が一組ずつ形成されている。
【０１９６】
具体的には、図６、図１５で示されるように、ＦＰＣ接続パッド配置部２５２、２５３の圧着面のうち、第３Ｉ型ＦＰＣ２１２の長手方向における端部から中心側に離れた位置であり、且つ、面状発光装置１００の形成時に内側よりとなる部分に陰極側導通部７７が形成されている。そして、陰極側導通部７７から第３Ｉ型ＦＰＣ２１２の長手方向における端部側に離れた位置であり、且つ、面状発光装置１００の形成時に外側よりとなる部分に陽極側導通部７６が形成されている。
【０１９７】
陽極側導通部７６と、陰極側導通部７７の平面視した形状もまた、いずれも角部分が丸みを帯びた四角形状となっている。
【０１９８】
ここで、第３Ｉ型ＦＰＣ２１２の陽極用等電位領域２２、陰極用等電位領域２３についてさらに詳細に説明する。
なお、陽極用等電位領域２２、陰極用等電位領域２３は、各部がいずれも膜状又は薄板状の部分であり、各部の部材厚方向は第３Ｉ型ＦＰＣ２１２の部材厚方向と同方向となっている。
【０１９９】
陽極用等電位領域２２は、図１９、図２０で示されるように、圧着面側（図１９における下側）に位置する１つの膜状又は薄板状の部材となっている。第３Ｉ型ＦＰＣ２１２では、陽極用等電位領域２２の全域が接触面側陽極領域となっている。
【０２００】
陰極用等電位領域２３は、図１９、図２０で示されるように、裏面側（図１９における上側）に位置する陰極用連結板６００（表側陰極領域）と、圧着面側（図１９における下側）に位置する２つの陰極用パッド形成板６０１（接触面側陰極領域）を備えている。そして、スルーホール等を介して陰極用連結板６００と２つの陰極用パッド形成板６０１とが同電位となるように電気的に接続された状態となっている。
【０２０１】
陽極用等電位領域２２は、図１９で示されるように、陽極用パッド形成板部５０５と、２つの延設板部５０７とが一体となって形成される部分となっている。
ここで、陽極用パッド形成板部５０５は、図２０で示されるように、上記した第１Ｉ型ＦＰＣ２１０の陽極用パッド形成板部３０５（図１８参照）と略同形の部分となっている。延設板部５０７もまた、上記した第１Ｉ型ＦＰＣ２１０の延設板部３０７と略同形の部分となっている。
つまり、陽極用等電位領域２２は、第１Ｉ型ＦＰＣ２１０の陽極用等電位領域２２における本体板３０１と略同形の部分となっている。言い換えると、この陽極用パッド形成板部５０５もまた、第３Ｉ型ＦＰＣ２１２を平面視した形状と相似形となる膜状又は薄板状の部分に対し、２つの欠落部５０８を形成した形状となっている。
【０２０２】
したがって、この２つの欠落部５０８もまた、第３Ｉ型ＦＰＣ２１２の長手方向で離れた位置にそれぞれ設けられており、それぞれの平面視した形状が、第３Ｉ型ＦＰＣ２１２の長手方向に沿って延びる長方形状となっている。
【０２０３】
陰極用連結板６００は、第３Ｉ型ＦＰＣ２１２の長手方向に沿って延びる長板状の部分であり、その平面視した形状が、第３Ｉ型ＦＰＣ２１２を平面視した形状と相似形となる部分である。
【０２０４】
陰極用パッド形成板６０１は、平面視した形状が、第３Ｉ型ＦＰＣ２１２の長手方向に沿って延びる長方形状の部分である。そして、２つの陰極用パッド形成板６０１は、それぞれ異なる欠落部５０８に配された状態となっている。
このことから、第３Ｉ型ＦＰＣ２１２の圧着面側においても、長手方向の片側端部側から他方端部側へ向かって、１つ目の陰極用パッド形成板６０１、陽極用パッド形成板部５０５の一部、２つ目の陰極用パッド形成板６０１が間隔を開けて並列した状態となっている。
【０２０５】
そして、図２１乃至図２３で示されるように、面状発光タイル１０の裏面に２つの一端両極接続ＦＰＣ２Ｂ（第１Ｉ型ＦＰＣ２１０、第２Ｉ型ＦＰＣ２１１）を一体に取り付け、さらに他の２つの一端両極接続ＦＰＣ２Ｂ（２つの第３Ｉ型ＦＰＣ２１２）を取り付けることで、面状発光装置１００の製造が可能となる。
【０２０６】
まず、第１Ｉ型ＦＰＣ２１０、第２Ｉ型ＦＰＣ２１１のそれぞれに形成された２つのＦＰＣ接続パッド配置部２５０、２５１をそれぞれ別の接続部配置領域５０に載置し、直接接触させた状態とする。つまり、４つのＦＰＣ接続パッド配置部２５０、２５１がそれぞれ別の接続部配置領域５０の上に載置された状態とする。
より具体的には、面状発光タイル１０の四辺のうち、互いに平行に延びる二辺のうちの一方の近傍に位置する２つの接続部配置領域５０の上に、第１Ｉ型ＦＰＣ２１０の２つのＦＰＣ接続パッド配置部２５０、２５１を載置する。そして、二辺のうちの他方の近傍に位置する他の２つの接続部配置領域５０の上に、第２Ｉ型ＦＰＣ２１１の２つのＦＰＣ接続パッド配置部２５０、２５１を載置する。
このことにより、第１Ｉ型ＦＰＣ２１０、第２Ｉ型ＦＰＣ２１１のそれぞれは、その長手方向が、互いに平行に延びる二辺それぞれの長手方向と同方向となるように配置された状態となる。
【０２０７】
このように、第１Ｉ型ＦＰＣ２１０、第２Ｉ型ＦＰＣ２１１を載置することで、それぞれの一端両極接続ＦＰＣ２Ｂの圧着面側に配された陽極用タイル接続パッド３Ｂ１２（図３等参照）と、陰極用タイル接続パッド３Ｂ１３が、面状発光タイル１０に形成された陽極パッド１２と、陰極パッド１３に接触した状態となる。
【０２０８】
次に、第１Ｉ型ＦＰＣ２１０及び第２Ｉ型ＦＰＣ２１１を面状発光タイル１０の裏面に載置してなる構造体に対し、２つの第３Ｉ型ＦＰＣ２１２を面状発光装置１００の形成時における裏面側外方から近接させ、この構造体の上に載置した状態とする。
【０２０９】
具体的には、一方の第３Ｉ型ＦＰＣ２１２における１つのＦＰＣ接続パッド配置部２５２を、第１Ｉ型ＦＰＣ２１０の一方のＦＰＣ接続パッド配置部２５０の上に載置した状態とする。そして、もう一つのＦＰＣ接続パッド配置部２５３を、第２Ｉ型ＦＰＣ２１１の一方のＦＰＣ接続パッド配置部２５１の上に載置する。
このことにより、一方の第３Ｉ型ＦＰＣ２１２は、面状発光タイル１０の裏面における周辺部βの上側であって、２つの一端両極接続ＦＰＣ２Ｂ（第１Ｉ型ＦＰＣ２１０、第２Ｉ型ＦＰＣ２１１）の端部同士の間で直線状に延びた状態で配置される。
【０２１０】
同様に、他方の第３Ｉ型ＦＰＣ２１２における１つのＦＰＣ接続パッド配置部２５２を、第１Ｉ型ＦＰＣ２１０の他方のＦＰＣ接続パッド配置部２５１の上に載置した状態とする。そして、もう一つのＦＰＣ接続パッド配置部２５３を、第１Ｉ型ＦＰＣ２１０の他方のＦＰＣ接続パッド配置部２５０の上に載置する。
このことにより、もう一方の第３Ｉ型ＦＰＣ２１２もまた、面状発光タイル１０の裏面における周辺部βの上側であって、２つの一端両極接続ＦＰＣ２Ｂ（第１Ｉ型ＦＰＣ２１０、第２Ｉ型ＦＰＣ２１１）の端部同士の間で直線状に延びた状態で配置される。
【０２１１】
以上のことから、４つの接続部配置領域５０のそれぞれに、それぞれ異なる一端両極接続部位３ＢＣ（ＦＰＣ接続パッド配置部２５０、２５１）が直接載置され、さらにその上に、それぞれ異なる一端両極接続部位３ＢＣ（ＦＰＣ接続パッド配置部２５２、２５３）が載置された状態となる。
このとき、重ねて配置される２つの一端両極接続部位３ＢＣにおける陽極用のＦＰＣ接続パッド２Ｂ２同士と、陰極用のＦＰＣ接続パッド２Ｂ３同士が接触した状態となる。
【０２１２】
つまり、面状発光タイル１０に直接載置された一端両極接続部位３ＢＣは、上記したように、裏面側に陽極側導通部７４、陰極側導通部７５が形成されている。これに対し、この上に載置される一端両極接続部位３ＢＣは、上記したように、圧着面側に、陽極側導通部７６、陰極側導通部７７が形成されている。
このことから、２つの一端両極接続部位３ＢＣを重ねて配置すると、陽極側導通部７４、７６同士と、陰極側導通部７５、７７同士が接触した状態となり、２つの電気接続部位３２、３３が形成される。つまり、４つそれぞれの接続部配置領域５０と重なる位置に、２つの電気接続部位３２、３３が形成されることとなる。
【０２１３】
そして、２つの第３Ｉ型ＦＰＣ２１２の圧着面側に配された陽極用タイル接続パッド３Ｂ１２（図３等参照）と、陰極用タイル接続パッド３Ｂ１３が、面状発光タイル１０に形成された陽極パッド１２と、陰極パッド１３に接触した状態となる。
このことにより、４つの一端両極接続ＦＰＣ２Ｂが一体化してロ字状ＦＰＣ２Ｐが形成される。つまり、いずれも面状発光タイル１０の陽極パッド１２及び陰極パッド１３と接触する部分を有する４つのＦＰＣ２を連結させ、ロ字状ＦＰＣ２Ｐを形成する。
【実施例】
【０２１４】
以下、本発明の具体的な実施例として有機ＥＬパネルを形成する例について説明する。【０２１５】
（実施例）
面状発光装置１００の実施例として有機ＥＬパネルを作製した。【０２１６】
まず、透光性陽極膜として、透明導電性金属酸化物層であるＩＴＯが製膜された０．７ｍｍ厚みのＩＴＯ付きガラス基板（絶縁基板１１）を用意した。このＩＴＯ付きガラス基板の外形は、９０ｍｍ×９０ｍｍとした。【０２１７】
次に、図２に示す陽極パッド１２、及び陰極パッド１３のパターンとなるように、ＩＴＯ付きガラス基板のＩＴＯをウェットエッチング法にてパターニングし、有機ＥＬ素子形成用基板を準備した。即ち、ＩＴＯ付きガラス基板の４辺それぞれの近傍に、長さ１５．１ｍｍの陰極パッド、長さ１ｍｍの絶縁領域、長さ４８ｍｍの陽極パッド、長さ１ｍｍの絶縁領域、長さ１５．１ｍｍの陰極パッドをそれぞれ形成した。すなわち、各辺の近傍において、近接する辺の長手方向における片側端部側から他方端部側へ向かって、１つ目の陰極パッド、陽極パッド、２つ目の陰極パッドの順で、これらが間隔を空けて並列するように形成した。また、パッド間の間隔は絶縁領域とした。【０２１８】
次に、この有機ＥＬ素子形成用基板の上に、有機機能膜として、順に正孔注入層、正孔輸送層、発光層、電子輸送層、電子注入層を積層し、その上に反射性陰極層としてアルミニウムからなる金属陰極層を積層して有機ＥＬ素子（面状発光素子１）を形成した。このとき、発光領域が８０ｍｍ×８０ｍｍとなるように有機ＥＬ素子を形成した。
その後、ＣＶＤ法でシリコン窒化膜を製膜しポリシラザンをスプレー法にて塗布し焼成して封止膜を形成し、粘着材付きＰＥＴからなる保護フィルムを貼り付け、有機ＥＬタイル（面状発光タイル１０）を作製した。【０２１９】
次に、図３に示す２枚１組のＬ字形ＦＰＣに準じるＦＰＣを用意した。そして、一方のＦＰＣを、異方性導電フィルム（ＡＣＦ）で有機ＥＬタイルに熱圧着した。
さらに、もう一方のＦＰＣである、有機ＥＬタイル用接続パッド及び配線材接続パッドが形成された反対向きのＬ字形フレキシブル基板を熱圧着した。すなわち、異方性導電フィルム（ＡＣＦ）を用いて、有機ＥＬタイルの陽極パッド１２、及び陰極パッド１３に熱圧着した。熱圧着の温度は１８０℃で圧着時間は２０秒とした。
なお、有機ＥＬタイル用接続パッドとは、上記した陽極用タイル接続パッド２Ａ１２、陰極用タイル接続パッド２Ａ１３に準じるものであり、配線材接続パッドとは、ＦＰＣ接続パッド２Ａ２、２Ａ３に準じるものである。【０２２０】
次に、図５に示すＦＰＣ重なり部に準じるＦＰＣ同士の重なり部分を、導電性接着剤を用いて接着することで、有機ＥＬパネル（面状発光装置）を完成させた。【０２２１】
この実施例のように、２つのＬ字形ＦＰＣを利用して給電端子となるロの字形のＦＰＣを形成すると、従来のロの字形のＦＰＣそのものによって給電端子を形成した場合と比較して、ＦＰＣの基材の利用効率が、２．９倍に改善された。【０２２２】
具体的に説明すると、従来一般に、面状発光装置の電極パッドは、正方形のパネルでは、４辺に陽極パッド、４隅に陰極パッドが配置されていた。そして、このような陽極、陰極パッドよりそれぞれ４方向に有機ＥＬ発光素子へ均一に電流を供給することで面内輝度ムラの発生を抑制していた。このとき、従来のＦＰＣはパネルの電極パッドの配置に対応して口の字形となっていたため、口の字の内側のシート材料は廃棄していた、その材料利用効率は低くコスト高となっていた。【０２２３】
つまり、ＦＰＣを生産する際、原料となるシート状の基材から、打ち抜き加工等により、生産するＦＰＣと同形となる一部分を取り出す必要がある。ここで、従来のようにロの字形となる一部分を取り出した場合（図２４参照）、取り出した部分の内側に位置する四角形状の部分が端材となってしまう。このことから、ロの字形となる一部分と、他のロの字形となる一部分とを近接する位置から取り出したとしても、比較的多くの端材が発生してしまうこととなる。【０２２４】
これに対し、この実施例のようにＬ字形となる一部分を取り出す場合（図２５参照）、同じ大きさのシート状の基材からより多数の取り出しが可能となるので、基材の利用効率の向上を図ることができる。なお、上記した一端両極接続ＦＰＣ２Ｂに準じたＩ字形となる一部分を取り出す場合、さらに基材の利用効率を高めることができる。【０２２５】
また、実施例では平面視形状が矩形となる面状発光タイルについて説明したが、星型や円形などの形状の面状発光タイル（パネル）では更にＦＰＣの利用効率を上げることができる。さらに巨大な面状発光タイルとなった場合に、ＦＰＣ用の元板として小さいものが選択可能であるという点で、上記した実施形態及び実施例の方式は極めて有用と考える。【０２２６】
すなわち、給電用ＦＰＣを、１枚のパネルに対して複数枚とし、かつ、隣接する当該ＦＰＣ間の導電層を重ね、その間で電気接続する方式である。このことにより、平面視において星形多角形となるように環状に連続する形状のＦＰＣや、円環状となるように連続する形状のＦＰＣを、複数のＦＰＣを一体化して形成できる。より詳細には、Ｉ字形のように直線状に延びる形状、Ｌ字形のように一部が屈曲して延びる形状、その他少なくとも一部が湾曲して延びる形状等のＦＰＣを複数形成し、これらを組み合わせて環状に連続するＦＰＣを形成する。
このような方式では、ＦＰＣの材料利用効率が高く、かつ、基板上の電極パッドへのＦＰＣ配線が簡便になる。この方式では、ＦＰＣ間導電層接続をＦＰＣの端部で行い、端部１箇所での接続で陽極側、負極側のどちらか一方を接続することが好ましい。このようにすることで、組立て時の配線ショートをより確実に防止できる。矩形パネルにおいては、Ｌ字形のＦＰＣ２枚を組み合わせることが好ましい。
【符号の説明】
【０２２７】
１００    面状発光装置（有機ＥＬパネル、ＬＥＤパネル）
１０      面状発光タイル（有機ＥＬタイル、ＬＥＤタイル）
１        面状発光素子（有機ＥＬ素子、ＬＥＤタイル）
１１      絶縁基板
１２      陽極パッド
１３      陰極パッド
２        ＦＰＣ（配線板）
２Ａ      両端各極接続ＦＰＣ
２Ａ１２  陽極用タイル接続パッド
２Ａ１３  陰極用タイル接続パッド
２Ａ２    一のＦＰＣ接続パッド（陽極用）
２Ａ３    他のＦＰＣ接続パッド（陰極用）
２Ｂ      一端両極接続ＦＰＣ（Ｉ形配線板）
２Ｂ１２  陽極用タイル接続パッド
２Ｂ１３  陰極用タイル接続パッド
２Ｂ２    陽極用ＦＰＣ接続パッド
２Ｂ３    陰極用ＦＰＣ接続パッド
２Ｏ，２Ｐ      ロ字状ＦＰＣ（環状配線板）
２２      陽極用等電位領域
２３      陰極用等電位領域
３２      ＦＰＣ−ＦＰＣ接続部位（電気接続部位，陽極側）
３３      ＦＰＣ−ＦＰＣ接続部位（電気接続部位，陰極側）
３ＢＣ    一端両極接続部位（Ｉ形配線板）
４０      給電用端子
５０      接続部配置領域
１５３，１５４，１５５，１５６，２５０，２５１，２５２，２５３      ＦＰＣ接続パッド配置部
７０，７２，７４，７６      陽極側導通部
７１，７２，７５，７７      陰極側導通部
１５０      第１Ｌ形配線板
１５１      第２Ｌ形配線板
１５０ａ，１５１ａ      本体片側部
１５０ｂ，１５１ｂ      本体他方部
１５０ｃ，１５１ｃ      屈曲連続部
１６０      陽極用連結板（表側陽極領域）
１６１      陽極用パッド形成板（接触面側陽極領域）
１７０      陰極用連結板（表側陰極領域）
１７１      陰極用パッド形成板（接触面側陰極領域）
１８０      第１陽極用連結板（表側陽極領域）
１８１      第２陽極用連結板（表側陽極領域）
１９０      陰極用連結板（表側陰極領域）
１８３      第１陽極用パッド形成板（接触面側陽極領域）
１８４      第２陽極用パッド形成板（接触面側陽極領域）
１８５      第３陽極用パッド形成板（接触面側陽極領域）
１９２      第１陰極用パッド形成板（接触面側陰極領域）
１９３      第２陰極用パッド形成板（接触面側陰極領域）
１９４      第３陰極用パッド形成板（接触面側陰極領域）
１９５      第４陰極用パッド形成板（接触面側陰極領域）
３００      陽極用パッド形成板（表側陽極領域）
３０１      本体板（接触面側陽極領域）
４００      陰極用連結板（表側陰極領域）
４０１      陰極用パッド形成板（接触面側陰極領域）
６００      陰極用連結板（表側陰極領域）
６０１      陰極用パッド形成板（接触面側陰極領域）
α      発光領域対応部
β      周辺部
【図１】
2017033630.tif 000003
【図２】
2017033630.tif 000004
【図３】
2017033630.tif 000005
【図４】
2017033630.tif 000006
【図５】
2017033630.tif 000007
【図６】
2017033630.tif 000008
【図７】
2017033630.tif 000009
【図８】
2017033630.tif 000010
【図９】
2017033630.tif 000011
【図１０】
2017033630.tif 000012
【図１１】
2017033630.tif 000013
【図１２】
2017033630.tif 000014
【図１３】
2017033630.tif 000015
【図１４】
2017033630.tif 000016
【図１５】
2017033630.tif 000017
【図１６】
2017033630.tif 000018
【図１７】
2017033630.tif 000019
【図１８】
2017033630.tif 000020
【図１９】
2017033630.tif 000021
【図２０】
2017033630.tif 000022
【図２１】
2017033630.tif 000023
【図２２】
2017033630.tif 000024
【図２３】
2017033630.tif 000025
【図２４】
2017033630.tif 000026
【図２５】
2017033630.tif 000027
【国際調査報告】
2017033630.tif 000028
2017033630.tif 000029
2017033630.tif 000030
2017033630.tif 000031